(57)【要約】【課題】所望のコンテンツの関連情報を複数の装置の各々で参照することが可能な映像表示システムを提供する。【解決手段】映像表示装置を操作可能な特定状態の通信端末装置から送信された制御信号に応じて、映像表示装置はコンテンツを表示する。映像表示装置は表示しているコンテンツの関連情報を、複数の通信端末装置へ送信する。複数の通信端末装置の各々は、関連情報を受信し、受信した関連情報を表示する。【選択図】図２７
2008053964.tif 000002
【特許請求の範囲】
【請求項１】
制御信号を受信することにより、受信した前記制御信号に対応する処理を行なう映像表示装置と、複数の通信端末装置とから構成される映像表示システムであって、
前記複数の通信端末装置のいずれかは、前記制御信号を前記映像表示装置へ送信することにより、前記映像表示装置を操作可能な特定状態の装置であり、
前記映像表示装置は、
前記特定状態の通信端末装置から送信された前記制御信号を受信する第１受信手段と、
受信した前記制御信号に応じて、コンテンツを表示する表示手段と、
前記表示手段に表示されているコンテンツの関連情報を、前記複数の通信端末装置へ送信する送信手段とを備え、
前記複数の通信端末装置の各々は、
前記送信手段により送信された前記関連情報を受信する第２受信手段と、
受信した前記関連情報を表示する情報表示手段とを備える、映像表示システム。
【請求項２】
前記映像表示装置は、
前記特定状態の通信端末装置との通信状態により、前記特定状態の通信端末装置が、前記特定状態でなくなったことを判定する判定手段をさらに備える、請求項１に記載の映像表示システム。
【請求項３】
前記判定手段により、前記特定状態の通信端末装置が前記特定状態でなくなったと判定された場合、前記複数の通信端末装置のうち、前記特定状態でなくなった通信端末装置以外の通信端末装置が前記特定状態となる、請求項２に記載の映像表示システム。
【発明の詳細な説明】
【技術分野】
【０００１】
本発明は、映像表示システムに関し、特に、コンテンツを表示する装置とデータ通信可能な装置を含む映像表示システムに関する。
【背景技術】
【０００２】
近年、宅内の複数種類の装置間において、互いにデータ通信を可能とするための規格（以下、異装置間通信規格ともいう）に準拠した装置が普及しつつある。異装置間通信規格は、たとえば、ＤＬＮＡ（Digital Living Network Alliance）規格である。異装置間通信規格に準拠した装置は、たとえば、テレビ受像機、ＨＤＤ（Hard disk drive）レコーダ、オーディオ装置等である。また、異装置間通信規格に準拠した装置は、一般的に、ルータ等のネットワーク機器を介して、インターネット等のネットワークにも接続可能となっている。
【０００３】
また、インターネット等のインフラを活用した家電機器などが出現しつつある。その状況にしたがって、通信回線事業者は、インターネット・電話・多チャンネル放送の３つを一括で提供するサービス（トリプルプレイサービス）を開始し始めている。例えばＦＴＴＨ（Fiber To The Home）を用いたサービスでは、加入電話（メタル線）の月額料金が不要になり、多チャンネル放送やＶＯＤ（Video On Demand）が利用できるようになる。さらに、トリプルプレイサービスに移動体通信サービスまでを一括して提供するサービス（クアドロプルプレイサービス）が具現化しつつある。移動体通信サービスが加わることで、ユーザは、携帯電話のような携帯端末を持ち歩けば、いつでもどこでも１つの電話番号/メールアドレスにてインターネット等のネットワークに繋がることが可能になる。また携帯電話を家庭内のリモコンとして利用したり、外出先から宅内にアクセスすることも容易に実現されることが期待されている。
【０００４】
また、ネットワークに接続可能な異装置間通信規格に準拠した装置は、リモコンで操作可能な装置であるのが一般的である。そのため、リモコンで操作可能であり、かつ、ネットワークに接続可能な複数種類の装置を、１つの装置で操作することが要求される。
【０００５】
特開２００２−１３５８１０号公報（特許文献１）には、インターネット等のネットワークに接続可能であって、普及率が非常に高い携帯電話等の通信端末装置を、ネットワークに接続可能な装置を操作するためのリモコンとして使用する技術（以下、第１の先行技術ともいう）が開示されている。
【０００６】
また、特開２００１−２７５１７３号公報（特許文献２）には、操作される機器（以下、被操作機器ともいう）の種類に応じた操作画面を、操作側の機器に表示させ、操作側の機器を、被操作機器を操作するためのリモコンとして使用する技術（以下、第２の先行技術ともいう）が開示されている。
【０００７】
また、特開２００１−１３６５８５号公報（特許文献３）には、テレビ受像機に表示されたＷｅｂページ内の複数のハイパーリンク文字列の配置位置の情報を、リモコンへ送信する技術（以下、第３の先行技術ともいう）が開示されている。
【特許文献１】特開２００２−１３５８１０号公報
【特許文献２】特開２００１−２７５１７３号公報
【特許文献３】特開２００１−１３６５８５号公報
【発明の開示】
【発明が解決しようとする課題】
【０００８】
最近では、第１〜第３の先行技術のように、携帯電話等の通信端末装置と、テレビ等の映像表示装置とを連携させて使用する場面が増えつつある。また、通信端末装置の普及により、１台の映像表示装置に対し、複数台の通信端末装置とを連携させて使用する場面も増えつつある。
【０００９】
１台の映像表示装置に対し、複数台の通信端末装置とを連携させて使用する場面において、１台の通信端末装置が、映像表示装置を操作するリモコンとして使用される場合、リモコンとしての通信端末装置の操作により、映像表示装置に表示される、所望のコンテンツに関連する情報等を、複数台の通信端末装置の各々で参照することが望まれる。
【００１０】
しかしながら、従来の技術では、リモコンとして動作しているか否かに関わらず、所望のコンテンツに関連する情報を、複数台の通信端末装置の各々で参照可能とすることは実現されていなかった。
【００１１】
本発明は、上述の問題点を解決するためになされたものであって、その目的は、所望のコンテンツの関連情報を複数の装置の各々で参照することが可能な映像表示システムを提供することである。
【課題を解決するための手段】
【００１２】
上述の課題を解決するために、この発明のある局面に従うと、制御信号を受信することにより、受信した制御信号に対応する処理を行なう映像表示装置と、複数の通信端末装置とから構成される映像表示システムであって、複数の通信端末装置のいずれかは、制御信号を映像表示装置へ送信することにより、映像表示装置を操作可能な特定状態の装置であり、映像表示装置は、特定状態の通信端末装置から送信された制御信号を受信する第１受信手段と、受信した制御信号に応じて、コンテンツを表示する表示手段と、表示手段に表示されているコンテンツの関連情報を、複数の通信端末装置へ送信する送信手段とを備え、複数の通信端末装置の各々は、送信手段により送信された関連情報を受信する第２受信手段と、受信した関連情報を表示する情報表示手段とを備える。
【００１３】
好ましくは、映像表示装置は、特定状態の通信端末装置との通信状態により、特定状態の通信端末装置が、特定状態でなくなったことを判定する判定手段をさらに備える。
【００１４】
好ましくは、判定手段により、特定状態の通信端末装置が特定状態でなくなったと判定された場合、複数の通信端末装置のうち、特定状態でなくなった通信端末装置以外の通信端末装置が特定状態となる。
【発明の効果】
【００１５】
本発明に係る映像表示システムは、映像表示装置を操作可能な特定状態の通信端末装置から送信された制御信号に応じて、映像表示装置はコンテンツを表示する。映像表示装置は表示しているコンテンツの関連情報を、複数の通信端末装置へ送信する。複数の通信端末装置の各々は、関連情報を受信し、受信した関連情報を表示する。
【００１６】
したがって、所望のコンテンツの関連情報を複数の装置の各々で参照することができるという効果を奏する。
【発明を実施するための最良の形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
本発明において取り扱うコンテンツとは、映像、音声、画像などのデジタルデータおよびそれらに関連する関連情報などを意図している。当然のことながら、上記コンテンツと同様の扱い方をされるものであれば、コンテンツはデジタルデータに限定されるものではない。また、コンテンツが、テレビ放送、インターネット放送、携帯電話網などのネットワークを介して提供されるならば、一つのコンテンツが複数のネットワークから提供されることも可能である。
【００１９】
＜第１の実施の形態＞
図１は、本実施の形態におけるネットワークシステム１０００の構成を示す図である。図１を参照して、ネットワークシステム１０００には、ホームネットワーク５０１が含まれる。
【００２０】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００２１】
通信端末装置５００は、ＰＤＡ（Personal Digital Assistance）である。また、通信端末装置５００は、電話の機能を有する。なお、通信端末装置５００は、電話の機能を有していなくてもよい。また、通信端末装置５００は、ＰＤＡに限定されることなく、通信機能を備え、携帯可能な装置であればどのような装置（たとえば、ＰＣ（Personal Computer）、携帯電話）でもよい。
【００２２】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００２３】
映像表示装置６００は、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＳＴＢ（Set Top Box）、ＨＤＤレコーダ、ＤＶＤ（Digital Versatile Disc）レコーダ等である。
【００２４】
通信端末装置５００と、映像表示装置６００とは、無線または有線でデータ通信を行なう。すなわち、通信端末装置５００と、映像表示装置６００とから映像表示システムが構成される。
【００２５】
通信部５０は、通信端末装置５００、映像表示装置６００およびネットワーク７０の各々と、データ通信を行なう機能を有する。ネットワーク７０は、インターネットなどの外部のネットワークである。
【００２６】
通信部５０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用して、複数の機器と同時にデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００２７】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００２８】
また、ネットワーク７０は、電話網６０と、無線または有線によりデータ通信可能である。したがって、通信端末装置５００は、電話網６０を介して、ネットワーク７０とデータ通信可能である。
【００２９】
ネットワークシステム１０００には、さらに、サービスサーバ８００Ａと、検索サーバ８００Ｓと、Ｗｅｂサーバ８００Ｗとが含まれる。
【００３０】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００３１】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００３２】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００３３】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００３４】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００３５】
サービスサーバ８００Ａ、検索サーバ８００ＳおよびＷｅｂサーバ８００Ｗの各々は、ネットワーク７０と、無線または有線でデータ通信を行なう。
【００３６】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓ（Mega bit per second）の速度でデータ通信が可能であるとする。
【００３７】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００３８】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００３９】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００４０】
次に、通信端末装置５００について詳細に説明する。
図２は、通信端末装置５００の外観を正面から示した図である。図２を参照して、通信端末装置５００は、表示部５３０と、音声出力部５７０と、ＬＥＤ５７６と、入力部５４０とを備える。
【００４１】
表示部５３０は、文字や画像等を表示する機能を有する。表示部５３０は、ＬＣＤパネル（Liquid Crystal Display Panel）、ＦＥＤパネル（Field Emission Display Panel）および有機ＥＬディスプレイパネル（Organic Electro luminescence Display Panel）のいずれかを使用した装置である。なお、表示部５３０は、上記以外の表示方式のパネルを使用した装置であってもよい。
【００４２】
表示部５３０の解像度は、横４８０（ドット）×縦６４０（ドット）である。なお、表示部５３０の解像度は、横４８０（ドット）×縦６４０（ドット）に限定されることなく、他の解像度（たとえば、横２４０（ドット）×縦３２０（ドット））であってもよい。
【００４３】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００４４】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００４５】
ＬＥＤ５７６は、通信端末装置５００で行なわれる処理に応じて、光による報知を行なう。たとえば、ＬＥＤ５７６は、電話の着信があった場合、光を点滅させる。
【００４６】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる長時間（たとえば、一秒以上）の押下操作（以下、長押操作ともいう）により、たとえば画面をそれぞれ、上，下，左，右に画面スクロールすることも可能である。
【００４７】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００４８】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００４９】
機能ボタン５４３Ａは、通信端末装置５００に電話がかかってきた場合、短押操作により通話開始を行なうためのボタンである。機能ボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００５０】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００５１】
通信端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００５２】
図３は、通信端末装置５００の外観を左側面から示した図である。図３を参照して、通信端末装置５００は、記録媒体挿入部５５０Ａを備える。記録媒体挿入部５５０Ａは、通信端末装置５００に後述する記録媒体を挿入する部分である。
【００５３】
図４は、通信端末装置５００の外観を背面から示した図である。図４を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００５４】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００５５】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００５６】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００５７】
図５は、通信端末装置５００の内部構成を示したブロック図である。なお、図５には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００５８】
図５を参照して、通信端末装置５００は、さらに、制御部５１０と、一時記憶部５２２と、記憶部５２０とを備える。
【００５９】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００６０】
制御部５１０は、記憶部５２０に記憶されたプログラム１８０に従って、通信端末装置５００内の各部に対する各種処理や、演算処理等を行なう機能を有する。制御部５１０は、マイクロプロセッサ（Microprocessor）、ＦＰＧＡ（Field Programmable Gate Array）、ＡＳＩＣ（Application Specific Integrated Circuit）、ＤＳＰ（Digital Signal Processor）およびその他の演算機能を有する回路のいずれであってもよい。
【００６１】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory（登録商標））、Ｄｉｒｅｃｔ−ＲＤＲＡＭ（Direct Rambus Dynamic Random Access Memory（登録商標））、その他、データを揮発的に記憶保持可能な構成を有する回路のいずれであってもよい。
【００６２】
通信端末装置５００は、さらに、アンテナ５０２と、チューナ５０５と、データ処理部５０７とを備える。
【００６３】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００６４】
放送信号は、画像データ、音声データ、テキストデータ、ＥＰＧ（Electric Program Guide）データを含む。なお、放送信号が、ディジタル放送に基づく信号である場合、放送信号は、さらに、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００６５】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データ、音声データを得るとともに、放送信号の垂直帰線区間（ＶＢＩ：Vertical Blanking Interval）から、テキストデータ、ＥＰＧデータを得る。
【００６６】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００６７】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、ＭＰＥＧ（Moving Picture Experts Group）４形式で圧縮されたデータである。なお、録画データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００６８】
また、受信した放送信号が、ディジタル放送に基づく信号である場合、データ処理部５０７は、以下の処理を行なう。まず、データ処理部５０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ４形式で圧縮されたデータである。なお、デコードデータに含まれる、画像データおよび音声データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００６９】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００７０】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００７１】
通信端末装置５００は、さらに、ＶＤＰ５３２と、ＶＲＡＭ（Video Random Access Memory）５３６とを備える。
【００７２】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００７３】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００７４】
通信端末装置５００は、さらに、入力部５４０と、記録媒体アクセス部５５０を備える。
【００７５】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００７６】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００７７】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００７８】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００７９】
記録媒体５５５は、フロッピー（登録商標）ディスク、ＣＦ(Compact Flash（登録商標）) カード、ＳＭ（Smart Media（登録商標））、ＭＭＣ（Multi Media Card（登録商標））、ＳＤ（Secure Digital（登録商標））メモリーカード、メモリースティック（登録商標）、ｘＤピクチャーカード（登録商標）および上記以外の不揮発性メモリのいずれであってもよい。
【００８０】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００８１】
通信部５６０は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ１．１またはＵＳＢ２．０に限定されることなく他の規格であってもよい。
【００８２】
なお、通信部５６０は、パラレル転送を行なう通信用インターフェースの機能を有していてもよい。パラレル転送を行なう通信用インターフェースは、たとえば、セントロニクス準拠の規格またはＩＥＥＥ１２８４（Institute of Electrical and Electronic Engineers 1284）の規格に準拠したインターフェースである。また、通信部５６０は、ＩＥＥＥ１３９４またはＳＣＳＩ規格に基づく通信用インターフェースの機能を有していてもよい。
【００８３】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【００８４】
通信部５６２は、制御部５１０と、データの送受信を行なう。通信部５６２は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５６２は、無線により、通信部５０とデータ通信を行なうことができる。
【００８５】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００８６】
したがって、本実施の形態における通信端末装置５００は、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【００８７】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００８８】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００８９】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００９０】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【００９１】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【００９２】
制御部５１０は、前述した音声出力部５７０，５７２、音声入力部５７４とデータ通信する。
【００９３】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【００９４】
ユーザが音声入力部５７４に含まれるマイクに対して音声を発すると、音声入力部５７４は、マイクにより取得した音声を音声データに変換して、音声データを、制御部５１０へ送信する。
【００９５】
制御部５１０は、前述したＬＥＤ５７６、撮像部５７８とデータ通信する。ＬＥＤ５７６は、制御部５１０からの制御指示に基づいて、光を発する。
【００９６】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【００９７】
通信端末装置５００は、さらに、振動部５７９を備える。振動部５７９は、制御部５１０からの制御指示に基づいて、通信端末装置５００を振動させる機能を有する。振動部５７９は、たとえば、電話の着信、電子メールの受信時に、制御部５１０からの制御指示に基づいて、通信端末装置５００を振動させる。
【００９８】
通信端末装置５００は、さらに、ＲＦＩＤ５８０を備える。ＲＦＩＤ５８０は、たとえば、FeliCa（登録商標）などのセキュリティ機能をもったＲＦＩＤ（Radio Frequency Identification）に基づく集積回路で、非接触で図示しない読み取り端末と通信を行う。また、ＲＦＩＤ５８０は、制御部５１０からの制御指示に基づいて、端末ＩＤなどのデータを出力する。
【００９９】
次に、映像表示装置６００について詳細に説明する。
図６は、映像表示装置６００の外観を正面から示した図である。図６を参照して、映像表示装置６００は、表示部６３０と、音声出力部６７０とを備える。
【０１００】
表示部６３０は、文字や画像等を表示する機能を有する。表示部６３０は、ＬＣＤパネル、ＣＲＴ（Cathode Ray Tube）、ＦＥＤパネル、ＰＤＰ（Plasma Display Panel）および有機ＥＬディスプレイパネルのいずれかを使用した装置である。なお、表示部６３０は、上記以外の表示方式のパネルを使用した装置であってもよい。表示部６３０の解像度は、表示部５３０の解像度より大きい。たとえば、表示部６３０の解像度は、ＰＣの画像が表示できる横１３６６（ドット）×縦７６８（ドット）の解像度である。なお、表示部６３０の解像度は、横１３６６（ドット）×縦７６８（ドット）に限定されることなく、他の解像度（たとえば、１０２４×７６８）であってもよい。表示部６３０の映像を表示する部分のアスペクト比は１６：９である。なお、アスペクト比は１６：９に限定されることなく、たとえば、４：３であってもよい。
【０１０１】
音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１０２】
図７は、映像表示装置６００の内部構成を示したブロック図である。なお、図７には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１０３】
図７を参照して、映像表示装置６００は、さらに、制御部６１０と、一時記憶部６２２と、記憶部６２０とを備える。
【０１０４】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤ、その他の各種データ等が記憶されている。
【０１０５】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１０６】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１０７】
映像表示装置６００は、さらに、アンテナ６０２と、チューナ６０５と、データ処理部６０７とを備える。
【０１０８】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１０９】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【０１１０】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【０１１１】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１１２】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１３】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１４】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１１５】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１１６】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１１７】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１１８】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１１９】
映像表示装置６００は、さらに、ＶＤＰ６３２と、ＶＲＡＭ６３６とを備える。
ＶＲＡＭ６３６は、画像データを一時的に記憶する機能を有する。
【０１２０】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１２１】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１２２】
映像表示装置６００は、さらに、入力部６４０と、記録媒体アクセス部６５０とを備える。
【０１２３】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１２４】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１２５】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１２６】
記録媒体５５５Ａは、Blu-ray Disc(登録商標)、ＨＤ−ＤＶＤ（High-Definition Digital Versatile Disc）（登録商標）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦカード（登録商標）、ＳＭ（Smart Media（登録商標））、ＭＭＣ（登録商標）、ＳＤメモリーカード（登録商標）、メモリースティック（登録商標）、ｘＤピクチャーカード、ＵＳＢメモリ、磁気テープおよび上記以外の不揮発性メモリのいずれであってもよい。
【０１２７】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１２８】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。
【０１２９】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１３０】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１３１】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１３２】
なお、前述した通信端末装置５００がリモコン３００の機能を有することも想定でき、通信端末装置５００、リモコン３００は、２つが存在する場合、および一方のみしか存在しない場合なども想定できる。
【０１３３】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１３４】
図８は、サービスサーバ８００Ａの内部構成を示したブロック図である。図８を参照して、サービスサーバ８００Ａは、表示部８３０と、制御部８１０と、一時記憶部８２２と、記憶部８２０とを備える。
【０１３５】
表示部８３０は、文字や画像等を表示する機能を有する。表示部８３０は、前述の表示部６３０と同様なものであるので詳細な説明は繰り返さない。
【０１３６】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１３７】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１３８】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１３９】
サービスサーバ８００Ａは、さらに、ＶＤＰ８３２と、ＶＲＡＭ８３６とを備える。
ＶＲＡＭ８３６は、画像データを一時的に記憶する機能を有する。
【０１４０】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１４１】
ＶＤＰ８３２は表示部８３０と接続されている。ＶＤＰ８３２は、制御部８１０からの描画指示に応じて、記憶部５２０内の後述するプログラム１８０Ｂからフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１４２】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１４３】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１４４】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１４５】
なお、検索サーバ８００ＳおよびＷｅｂサーバ８００Ｗの各々も、前述したサービスサーバ８００Ａと同様な構成を有するので詳細な説明は繰り返さない。
【０１４６】
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１４７】
図９は、一例としてのリモコン画像ＭＧ１００を示す図である。図９を参照して、リモコン画像ＭＧ１００には、ボタン画像ＭＢＧ１１０，ＭＢＧ１２０，ＭＢＧ１３０が配置される。
【０１４８】
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１４９】
ボタン画像ＭＢＧ１１０は、インターフェース操作Ｍにより、押下処理されることで、電源リモコン信号を、映像表示装置６００へ送信するためのボタン画像である。ここで、映像表示装置６００は、待機モードを有する。待機モードとは、表示部６３０に画像を表示させるための電源がオフであるために、表示部６３０が画像を表示できない状態であって、主電源がオフでない状態である。すなわち、待機モードとは、表示部６３０に画像が表示されていない状態であって、主電源がオフでない状態である。以下においては、表示部６３０に画像を表示させるための電源を画像表示電源ともいう。
【０１５０】
したがって、映像表示装置６００が待機モードの場合、電源リモコン信号を受信することにより、画像表示電源がオンされることにより、表示部６３０に画像を表示させることができる。なお、以下においては、画像表示電源がオンの状態の映像表示装置６００を通常モードともいう。すなわち、電源リモコン信号は、映像表示装置６００において、待機モードと、通常モードとを切替えるためのリモコン信号である。
【０１５１】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１５２】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１５３】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１５４】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１５５】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行われた場合、リモコンチャンネル番号は、“１”になる。
【０１５６】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行われた場合、リモコンチャンネル番号は、“１２”になる。
【０１５７】
リモコン画像ＭＧ１００には、さらに、ボタン画像ＭＢＧ１７０，ＭＢＧ１８０が配置される。ボタン画像ＭＢＧ１７０，ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１５８】
ボタン画像ＭＢＧ１７０は、インターフェース操作Ｍにより、押下処理されることで、設定画像表示リモコン信号を、映像表示装置６００へ送信するためのボタン画像である。設定画像表示リモコン信号は、映像表示装置６００の表示部６３０に、後述する設定画像を表示させるためのリモコン信号である。ボタン画像ＭＢＧ１８０は、インターフェース操作Ｍにより、押下処理されることで、詳細リモコン画像表示リモコン信号を、映像表示装置６００へ送信するためのボタン画像である。詳細リモコン画像表示リモコン信号は、映像表示装置６００の表示部６３０に、詳細リモコン画像を表示させるためのリモコン信号である。詳細リモコン画像とは、映像表示装置６００に対し頻繁に使用されるリモコン信号以外のリモコン信号を、映像表示装置６００へ送信するための画像である。
【０１５９】
以下においては、通信端末装置５００が、映像表示装置６００へリモコン信号を送信することで映像表示装置６００を操作可能な場合における、通信端末装置５００の動作モードを、リモコンモードともいう。
【０１６０】
次に、映像表示装置６００が、サービスサーバ８００Ａからコンテンツを受信するための処理（以下、コンテンツ取扱い処理ともいう）について説明する。なお、映像表示装置６００は、待機モードであるとする。前述したように、待機モードとは、表示部６３０に画像が表示されていない状態であって、主電源がオフでない状態である。映像表示装置６００は、待機モードであっても、通信部５０とデータ通信可能であるとし、以下の処理を行なう。
【０１６１】
図１０は、コンテンツ取扱い処理のフローチャートである。図１０では、通信端末装置５００、映像表示装置６００、サービスサーバ８００Ａの各々において行なわれる処理を示す。なお、コンテンツ取扱い処理が行なわれる前に、通信端末装置５００の表示部５３０には、以下の待ち受け画像ＭＧ２００が表示されているとする。
【０１６２】
図１１は、一例としての待ち受け画像ＭＧ２００を示す図である。図１１を参照して、待ち受け画像ＭＧ２００は、日時を表示した画像である。なお、待ち受け画像ＭＧ２００は、日時に限定されることなく、他の情報を表示した画像であってもよい。
【０１６３】
再び、図１０を参照して、映像表示装置６００では、まず、ステップＳ１２０の処理が行なわれる。
【０１６４】
ステップＳ１２０では、接続信号送信処理が行なわれる。接続信号送信処理では、制御部６１０が、無線データ通信機能により接続信号を送信する。無線データ通信機能は、一例として、ブルートゥース（登録商標）を使用した通信機能であるとする。接続信号には、映像表示装置６００の装置ＩＤが含まれる。ここで、装置ＩＤとは、装置を識別するための情報（以下、装置識別情報ともいう）である。映像表示装置６００の装置ＩＤは、一例として、“１１ＴＡ”であるとする。上記処理により送信される接続信号は、映像表示装置６００の設置位置から、一例として、半径１０メートルの範囲内まで到達するものとする。すなわち、上記処理により、映像表示装置６００の設置位置から、一例として、半径１０メートルの範囲（以下、接続信号受信可能範囲ともいう）内にある装置は、接続信号を受信可能であるとする。ここで、通信端末装置５００は、電源がオン状態であり、かつ、接続信号受信可能範囲内にあるとする。その後、このステップＳ１２０の処理は終了する。
【０１６５】
通信端末装置５００では、まず、ステップＳ１１０の処理が行なわれる。
ステップＳ１１０では、制御部５１０が、映像表示装置６００とデータ通信可能であるか否かを判定する。具体的には、制御部５１０が、接続信号を受信したか否かを判定する。ステップＳ１１０において、ＹＥＳならば、ステップＳ１１１に進む。一方、ステップＳ１１０において、ＮＯならば、再度、ステップＳ１１０の処理が行なわれる。ここでは、接続信号を受信したとして、ステップＳ１１１に進む。ステップＳ１１０において、ＹＥＳと判定される場合は、制御部５１０が、映像表示装置６００とデータ通信可能であると判定した場合である。
【０１６６】
ステップＳ１１１では、制御部５１０が、無線データ通信機能により接続確立信号を、接続信号を送信した映像表示装置６００へ送信する。接続確立信号には、受信した接続信号に含まれる装置ＩＤ（“１１ＴＡ”）と、通信端末装置５００の装置ＩＤとが含まれる。通信端末装置５００の装置ＩＤは、一例として、“１１ＭＡ”であるとする。そして、制御部５１０は、ＬＥＤ５７６に、たとえば、青色の光を発光させる。青色の光は、たとえば、映像表示装置６００とデータ通信可能である状態を示す。その後、ステップＳ１１１の処理は終了する。本実施の形態では、ＬＥＤにより通信状態を表現しているが、通信状態の表現は、ＬＥＤに限定されるものではない。たとえば、通信端末装置５００の表示部５３０が表示している画像内の一部に通信状態を表示することにより、通信状態が表現されてもよい。
【０１６７】
映像表示装置６００では、ステップＳ１２０の処理が終了すると、ステップＳ１２１に進む。
【０１６８】
ステップＳ１２１では、制御部６１０が、自装置の装置ＩＤを含む接続確立信号を受信したか否かを判定する。ステップＳ１２１において、ＹＥＳならば、ステップＳ１２２に進む。一方、ステップＳ１２１において、ＮＯならば、所定時間（たとえば、１０秒）、処理を停止した後、再度、ステップＳ１２０の処理が行なわれる。すなわち、制御部６１０は、接続確立信号を受信するまで、所定時間間隔で、接続信号受信可能範囲内の装置へ接続信号を送信する。ここでは、自装置の装置ＩＤ（“１１ＴＡ”）と、通信端末装置５００の装置ＩＤ（“１１ＭＡ”）とを含む接続確立信号を受信したとして、ステップＳ１２２に進む。
【０１６９】
ステップＳ１２２では、制御部６１０が、受信した接続確立信号に含まれる、自装置の装置ＩＤでない装置ＩＤに対応する操作情報データを、記憶部６２０から読出し、接続確立信号に含まれる自装置の装置ＩＤでない装置ＩＤの装置へ送信する。なお、送信される操作情報データには、送信先の装置の装置ＩＤと、自装置の装置ＩＤとが付加される。そして、ステップＳ１２２の処理は終了する。操作情報データは、映像表示装置６００を操作するための情報を含むデータである。
【０１７０】
記憶部６２０には、複数種類の装置にそれぞれ対応する複数の操作情報データが予め記憶されている。複数の操作情報データの各々は、対応する装置が有するボタンの数、タッチパネル機能の有無等の情報に基づいて、対応する装置が、映像表示装置６００を操作するために使用するデータである。
【０１７１】
ここで、受信した接続確立信号に含まれる自装置の装置ＩＤでない装置ＩＤは、“１１ＭＡ”である。装置ＩＤ（“１１ＭＡ”）の装置は、通信端末装置５００である。装置ＩＤ“１１ＭＡ”に対応する操作情報データは、以下の操作情報データＤ１００であるとする。したがって、送信先の装置の装置ＩＤ（“１１ＭＡ”）と、自装置の装置ＩＤ（“１１ＴＡ”）とが付加された、以下の操作情報データＤ１００が、通信端末装置５００へ送信される。
【０１７２】
図１２は、一例としての操作情報データＤ１００を示す図である。図１２を参照して、操作情報データＤ１００において、「操作部名」とは、通信端末装置５００の操作部の名称である。通信端末装置５００の方向ボタン５４１Ａ，５４１Ｂ，５４１Ｃ，５４１Ｄの操作部名は、それぞれ、「上方向ボタン」、「下方向ボタン」、「左方向ボタン」、「右方向ボタン」であるとする。また、通信端末装置５００の決定ボタン５４１Ｅの操作部名は、「決定ボタン」であるとする。
【０１７３】
また、通信端末装置５００の機能ボタン５４２Ａ，５４２Ｂ，５４３Ａ，５４３Ｂの操作部名は、それぞれ、「機能１ボタン」、「機能２ボタン」、「機能３ボタン」、「機能４ボタン」であるとする。通信端末装置５００の表示部５３０の操作部名は、「タッチパネル」であるとする。
【０１７４】
操作情報データＤ１００において、「操作可否情報」とは、通信端末装置５００において、対応する操作部名の操作部を操作することにより、映像表示装置６００を操作可能であるか否かを示す情報である。操作情報データＤ１００において、丸に対応する操作部名の操作部は、操作することにより、映像表示装置６００を操作可能であることを示す。一方、「×」に対応する操作部名の操作部は、操作することにより、映像表示装置６００を操作不可能であることを示す。したがって、操作情報データＤ１００は、通信端末装置５００の表示部５３０のタッチパネル機能を使用して、映像表示装置６００を操作不可能であることを示す。この場合、制御部５１０は、表示部５３０のタッチ操作により、通信端末装置５００（自装置）の操作を行なう。
【０１７５】
通信端末装置５００の制御部５１０は、受信した操作情報データＤ１００において、操作可能であると示されたボタンが押下操作された場合にのみ、押下操作されたボタンに対応するリモコン信号を生成し、生成したリモコン信号を、映像表示装置６００へ送信する。
【０１７６】
したがって、通信端末装置５００は、方向ボタン５４１Ａ，５４１Ｂ，５４１Ｃ，５４１Ｄ、決定ボタン５４１Ｅ、機能ボタン５４２Ａ，５４２Ｂ，５４３Ａ，５４３Ｂのいずれかの押下操作により、映像表示装置６００を操作することができる。また、通信端末装置５００は、表示部５３０のタッチ操作により、通信端末装置５００（自装置）の操作を行なうことができる。
【０１７７】
すなわち、映像表示装置６００の操作および自装置の操作を、通信端末装置５００において、異なる複数の操作部でそれぞれ行なう。そのため、通信端末装置５００において、映像表示装置６００の操作および自装置の操作を迅速に行なうことができる。
【０１７８】
再び、図１０を参照して、通信端末装置５００では、ステップＳ１１１の処理の後、ステップＳ１１２に進む。
【０１７９】
ステップＳ１１２では、制御部５１０が、自装置の装置ＩＤ（“１１ＭＡ”）が付加された操作情報データを受信したか否かを判定する。ステップＳ１１２において、ＹＥＳならば、ステップＳ１１３に進む。一方、ステップＳ１１２において、ＮＯならば、再度、ステップＳ１１２の処理が行なわれる。ここでは、自装置の装置ＩＤ（“１１ＭＡ”）と、映像表示装置６００の装置ＩＤ（“１１ＴＡ”）とが付加された操作情報データＤ１００を受信したとして、ステップＳ１１３に進む。そして、ステップＳ１１２の処理は終了する。
【０１８０】
ステップＳ１１３では、制御部５１０が、通信端末装置５００をリモコンモードに設定する。また、制御部５１０は、受信した操作情報データＤ１００を、記憶部５２０に記憶させる。そして、制御部５１０は、ＶＤＰ５３２を利用して、以下のメッセージ画像ＭＧ３００を生成し、メッセージ画像ＭＧ３００を表示部５３０に表示する。
【０１８１】
また、制御部５１０は、ＬＥＤ５７６に、たとえば、赤色の光を発光させる。赤色の光は、たとえば、通信端末装置５００が、映像表示装置６００を操作可能な状態であることを示す。
【０１８２】
したがって、ユーザは、ＬＥＤ５７６の光の色により、通信端末装置５００の操作により、映像表示装置６００を操作できるか否か容易に認識することができる。そして、ステップＳ１１３の処理は終了する。
【０１８３】
図１３は、一例としてのメッセージ画像ＭＧ３００を示す図である。図１３を参照して、メッセージ画像ＭＧ３００には、一例として、「電源ボタンの押下操作により、映像表示装置の電源をオン、オフできます。」というメッセージが表示される。ここで、電源ボタンとは、通信端末装置５００の機能ボタン５４３Ｂのことを示す。
【０１８４】
再び、図１０を参照して、ステップＳ１１３の処理の後、ステップＳ１１４に進む。
ステップＳ１１４では、制御部５１０が、電源オン操作があるか否かを判定する。電源オン操作とは、通信端末装置５００がリモコンモードである場合に、電源ボタンとしての機能ボタン５４３Ｂを押下処理するためのインターフェース操作Ｍである。ステップＳ１１４において、ＹＥＳならば、ステップＳ１１５に進む。一方、ステップＳ１１４において、ＮＯならば、再度、ステップＳ１１４の処理が行なわれる。ここでは、電源オン操作があったとして、ステップＳ１１５に進む。
【０１８５】
ステップＳ１１５では、制御部５１０が、電源リモコン信号を、映像表示装置６００へ送信する。そして、このステップＳ１１５の処理は終了する。
【０１８６】
映像表示装置６００では、ステップＳ１２２の処理が終了すると、ステップＳ１２３に進む。
【０１８７】
ステップＳ１２３では、制御部６１０が、電源リモコン信号を受信したか否かを判定する。ステップＳ１２３において、ＹＥＳならば、ステップＳ１２４に進む。一方、ステップＳ１２３において、ＮＯならば、再度、ステップＳ１２３の処理が行なわれる。
【０１８８】
ステップＳ１２４では、リスト取得処理が行なわれる。リスト取得処理では、まず、制御部６１０が、前述の画像表示電源をオンにさせ、映像表示装置６００を通常モードにする。これにより、表示部６３０に画像が表示可能となる。そして、制御部６１０が、通信部６６２を利用して、サービスサーバ８００Ａから取得可能なコンテンツのリストを取得するためのリスト取得要求を、サービスサーバ８００Ａへ送信する。
【０１８９】
サービスサーバ８００Ａでは、まず、ステップＳ１４０の処理が行なわれる。
ステップＳ１４０では、制御部８１０が、リスト取得要求を受信したか否かを判定する。ステップＳ１４０において、ＹＥＳならば、ステップＳ１４１に進む。一方、ステップＳ１４０において、ＮＯならば、再度、ステップＳ１４０の処理が行なわれる。
【０１９０】
ステップＳ１４１では、制御部８１０が、リスト取得要求を送信した装置に対し、配信可能なコンテンツのリストのデータである、以下のリストデータＤ２００を送信する。その後，ステップＳ１４１の処理は終了する。
【０１９１】
図１４は、一例としてのリストデータＤ２００を示す図である。図１４を参照して、リストデータＤ２００は、複数のコンテンツ情報から構成される。「管理番号」とは、複数のコンテンツ情報の各々を管理するための番号である。「ＩＤ番号」とは、コンテンツを識別するための番号である。「タイトル」とは、対応するコンテンツのタイトルを示す。「ジャンル」とは、対応するコンテンツのジャンルを示す。「出演者」とは、対応するコンテンツの出演者である。なお、コンテンツ情報に含まれる情報は、上記の情報に限定されることなく、たとえば、対応するコンテンツに関連する情報を参照するためのＵＲＬ（以下、関連情報参照ＵＲＬともいう）が含まれていてもよい。
【０１９２】
再び、図１０を参照して、映像表示装置６００では、ステップＳ１２４のリスト取得処理において、制御部６１０が、リストデータＤ２００を受信する。制御部６１０は、リストデータＤ２００を受信すると、記憶部６２０にリストデータＤ２００を記憶させる。そして、制御部６１０が、リストデータＤ２００に基づいて、ＶＤＰ６３２を利用して、以下のリスト画像Ｇ２００を生成し、生成したリスト画像Ｇ２００を表示部６３０に表示させる。その後、ステップＳ１２４の処理は終了する。
【０１９３】
図１５は、一例としてのリスト画像Ｇ２００を示す図である。図１５を参照して、リスト画像Ｇ２００には、ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２が配置される。ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２の各々には、コンテンツのタイトルが表示される。
【０１９４】
ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２の各々は、押下処理されることにより、対応するコンテンツを、サービスサーバ８００Ａから取得するためのボタン画像である。
【０１９５】
また、リスト画像Ｇ２００には、選択枠ＳＲ２５０が、一例として、ボタン画像ＢＧ２１５を囲むように配置される。選択枠ＳＲ２５０に囲まれているボタン画像は、選択状態のボタン画像である。なお、初期状態の選択枠ＳＲ２５０の配置位置は、ボタン画像ＢＧ２１５を囲む位置に限定されることなく、他のボタン画像を囲む位置であってもよい。
【０１９６】
また、リスト画像Ｇ２００には、操作ガイダンス画像Ｇ２７０が配置される。操作ガイダンス画像Ｇ２７０には、映像表示装置６００を、通信端末装置５００により操作するための操作ガイダンス情報が表示される。操作ガイダンス情報は、一例として、「方向ボタンの押下処理により、再生するコンテンツを選択できます。決定ボタンの押下処理により、選択状態のコンテンツを再生します。」というメッセージ情報である。
【０１９７】
ここで、方向ボタンとは、通信端末装置５００の方向ボタン５４１Ａ，５４１Ｂ，５４１Ｃ，５４１Ｄである。決定ボタンとは、通信端末装置５００の決定ボタン５４１Ｅである。なお、操作ガイダンス情報に含まれる「方向ボタン」および「決定ボタン」という文字列は、アイコン等の画像であってもよい。たとえば、方向ボタン５４１Ａ，５４１Ｂ，５４１Ｃ，５４１Ｄは、それぞれ、上，下，左，右の方向を示す矢印のマークのアイコンによって示されてもよい。
【０１９８】
なお、リスト画像Ｇ２００は、ＥＰＧデータに基づいて生成された電子番組表が表示された画像であってもよい。この場合、ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２の各々は、コンテンツとしての番組の動画像を取得するためのボタン画像となる。この場合、ボタン画像ＢＧ２１１〜ＢＧ２２２は、それぞれ、たとえば、１〜１２チャンネルの放送番組を取得するためのボタン画像となる。
【０１９９】
再び、図１０を参照して、ステップＳ１１５の処理の後、ステップＳ１１７に進む。
ステップＳ１１７では、制御部５１０が、操作対応処理Ｍを実行する。操作対応処理Ｍは、他の処理とは独立して行なわれる処理である。その後、コンテンツ取扱い処理における通信端末装置５００の処理は終了する。
【０２００】
映像表示装置６００では、ステップＳ１２４の処理の後、ステップＳ１２７に進む。
ステップＳ１２７では、制御部６１０が、操作対応処理Ｔを実行する。操作対応処理Ｔは、他の処理とは独立して行なわれる処理である。その後、コンテンツ取扱い処理における映像表示装置６００の処理は終了する。
【０２０１】
サービスサーバ８００Ａでは、ステップＳ１４１の処理の後、ステップＳ１４７に進む。
【０２０２】
ステップＳ１４７では、制御部８１０が、処理Ｓを実行する。処理Ｓは、他の処理とは独立して行なわれる処理である。その後、コンテンツ取扱い処理におけるサービスサーバ８００Ａの処理は終了する。
【０２０３】
図１６は、操作対応処理Ｍ、操作対応処理Ｔおよび処理Ｓのフローチャートである。図１６を参照して、通信端末装置５００が行なう操作対応処理Ｍでは、まず、ステップＳ２１０の処理が行なわれる。
【０２０４】
ステップＳ２１０では、制御部５１０が、後述する操作判定処理を実行する。操作判定処理は、他の処理とは独立して行なわれる処理である。そして、ステップＳ２１０の処理は終了する。
【０２０５】
映像表示装置６００が行なう操作対応処理Ｔでは、まず、ステップＳ２２０の処理が行なわれる。
【０２０６】
ステップＳ２２０では、制御部６１０が、通信端末装置５００から送信されたリモコン信号に対応する処理を行なうための制御信号対応処理を実行する。制御信号対応処理は、他の処理とは独立して行なわれる処理である。そして、ステップＳ２２０の処理は終了する。
【０２０７】
図１７は、操作判定処理および制御信号対応処理のフローチャートである。図１７を参照して、通信端末装置５００が行なう操作判定処理では、まず、ステップＳ１１の処理が行なわれる。
【０２０８】
ステップＳ１１では、制御部５１０が、表示部５３０に対するタッチ操作があるか否かを判定する。タッチ操作とは、表示部５３０に表示されている画像内のハイパーリンク文字列またはボタン画像等を押下処理するためのインターフェース操作Ｍである。ステップＳ１１において、ＹＥＳならば、ステップＳ１２に進む。一方、ステップＳ１１において、ＮＯならば、ステップＳ１５に進む。
【０２０９】
ステップＳ１２では、タッチ操作対応処理が行なわれる。タッチ操作対応処理では、タッチ操作に基づく処理が行なわれる。タッチ操作が、たとえば、表示部５３０に表示されている画像内のハイパーリンク文字列に対するタッチ操作である場合、制御部５１０は、ハイパーリンク文字列に関連付けられたＵＲＬにアクセスし、当該ＵＲＬにより特定されるＷｅｂページのデータを取得する。そして、制御部５１０は、取得したＷｅｂページのデータに基づく、Ｗｅｂページの情報を表示した画像を、表示部５３０に表示させる。タッチ操作対応処理が終了すると、ステップＳ１５に進む。
【０２１０】
ステップＳ１５では、制御部５１０が、ボタン操作があるか否かを判定する。ボタン操作とは、通信端末装置５００の方向ボタン５４１Ａ，５４１Ｂ，５４１Ｃ，５４１Ｄ、決定ボタン５４１Ｅ、機能ボタン５４２Ａ，５４２Ｂ，５４３Ａ，５４３Ｂのいずれかのボタンを押下する操作である。ステップＳ１５において、ＹＥＳならば、ステップＳ１６に進む。一方、ステップＳ１５において、ＮＯならば、再度、ステップＳ１１の処理が行なわれる。
【０２１１】
ステップＳ１６では、制御部５１０が、通信部５６０を利用して、制御信号としてのリモコン信号を、映像表示装置６００へ送信する。ボタン操作が、たとえば、方向ボタン５４１Ｂを押下する操作である場合、送信されるリモコン信号は、方向ボタン５４１Ｂの名称である「下方向ボタン」の情報を含んだリモコン信号となる。ステップＳ１６の処理が終了すると、再度、ステップＳ１１の処理が行なわれる。
【０２１２】
映像表示装置６００が行なう制御信号対応処理では、まず、ステップＳ２１の処理が行なわれる。
【０２１３】
ステップＳ２１では、制御部６１０が、制御信号としてのリモコン信号を受信したか否かを判定する。ステップＳ２１において、ＹＥＳならば、ステップＳ２２に進む。一方、ステップＳ２１において、ＮＯならば、再度、ステップＳ２１の処理が行なわれる。ここでは、一例として、方向ボタン５４１Ｂの名称である「下方向ボタン」の情報を含んだリモコン信号を受信したとする。
【０２１４】
ステップＳ２２では、制御信号対応処理が行なわれる。制御信号対応処理では、制御部６１０が、受信したリモコン信号に応じた処理を行なう。たとえば、表示部６３０に、図１５のリスト画像Ｇ２００が表示されており、選択枠ＳＲ２５０が、ボタン画像ＢＧ２１５を囲む位置に配置されている場合、制御部６１０は、選択枠ＳＲ２５０を、ボタン画像ＢＧ２１８を囲む位置に移動させた画像を、表示部６３０に表示させる。すなわち、ボタン画像ＢＧ２１８を選択状態とする。制御信号対応処理が終了すると、再度、ステップＳ２１の処理が行なわれる。
【０２１５】
再び、図１６を参照して、映像表示装置６００が行なう操作対応処理Ｔでは、ステップＳ２２０の処理の後、ステップＳ２２１の処理が行なわれる。
【０２１６】
ステップＳ２２１では、制御部６１０が、通信端末装置５００の装置ＩＤ（“１１ＭＡ”）を付加した選択コンテンツ情報を、通信端末装置５００へ送信する。選択コンテンツ情報とは、表示部６３０に表示されているリスト画像Ｇ２００において、選択状態のボタン画像に対応するコンテンツの関連情報である。リスト画像Ｇ２００において、たとえば、ボタン画像ＢＧ２１５が選択状態である場合、図１４のリストデータＤ２００における管理番号“５”のコンテンツ情報に含まれる、「タイトル」、「ジャンル」、「出演者」等の情報を含む情報が、選択コンテンツ情報となる。そして、ステップＳ２２１の処理は終了する。
【０２１７】
なお、選択状態のボタン画像は、通信端末装置５００の方向ボタン５４１Ａ，５４１Ｂ，５４１Ｃ，５４１Ｄの操作により変化する。具体的には、通信端末装置５００の方向ボタン５４１Ａ，５４１Ｂ，５４１Ｃ，５４１Ｄの操作があると、前述した図１７のステップＳ１６の処理により、対応するリモコン信号が、映像表示装置６００へ送信される。映像表示装置６００の制御部６１０は、ＶＤＰ６３２を利用して、受信したリモコン信号に基づいて、選択枠ＳＲ２５０を、上，下，左，右のいずれかに移動させた状態の画像を生成する。この場合、制御部６１０が受信したリモコン信号は、映像表示装置６００を操作するための制御信号である。
【０２１８】
通信端末装置５００が行なう操作対応処理Ｍでは、ステップＳ２２０の処理の後、ステップＳ２１１の処理が行なわれる。
【０２１９】
ステップＳ２１１では、選択コンテンツ情報受信処理が行なわれる。選択コンテンツ情報受信処理では、制御部５１０が、自装置の装置ＩＤ（“１１ＭＡ”）が付加された選択コンテンツ情報を受信し、受信した選択コンテンツ情報を、記憶部５２０に記憶させる。
【０２２０】
そして、制御部５１０は、ＶＤＰ５３２を利用して、選択コンテンツ情報に基づいた、以下のコンテンツ情報画像ＭＧ４００を生成し、コンテンツ情報画像ＭＧ４００を、表示部５３０に表示させる。なお、選択コンテンツ情報は、一例として、図１４のリストデータＤ２００における管理番号“５”に対応する情報であるとする。なお、選択コンテンツ情報には、前述した関連情報参照ＵＲＬも含まれるとする。その後、ステップＳ２１１の処理は終了する。
【０２２１】
なお、制御部５１０は、受信した選択コンテンツ情報に自装置の装置ＩＤが付加されていない場合は、自装置の装置ＩＤが付加された選択コンテンツ情報を受信するまで、ステップＳ２１１の処理を繰り返す。
【０２２２】
図１８は、一例としてのコンテンツ情報画像ＭＧ４００を示す図である。図１８を参照して、コンテンツ情報画像ＭＧ４００には、選択コンテンツ情報に含まれる「タイトル」、「ジャンル」、「出演者」等の情報が表示される。また、コンテンツ情報画像ＭＧ４００には、選択コンテンツ情報に含まれる関連情報参照ＵＲＬと関連付けられたハイパーリンク文字列（たとえば、「詳細はこちら」という文字列）が表示される。ユーザは、表示部５３０に表示されている、「詳細はこちら」というハイパーリンク文字列をタッチ操作することで、関連情報参照ＵＲＬにより特定されるＷｅｂページの情報を参照することができる。
【０２２３】
なお、コンテンツ情報画像ＭＧ４００に表示される情報が、１つの画面内に収まらない場合は、コンテンツ情報画像ＭＧ４００に、情報をスクロール表示させるためのスクロールバーを表示させてもよい。
【０２２４】
再び、図１６を参照して、ステップＳ２１１の処理が終了すると、ステップＳ２１２に進む。
【０２２５】
ステップＳ２１２では、制御部５１０が、コンテンツ取得操作があるか否かを判定する。コンテンツ取得操作とは、サービスサーバ８００Ａからコンテンツを受信するための操作である。具体的には、コンテンツ取得操作は、図１５のリスト画像Ｇ２００に表示される、ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２のうち、ボタン画像が選択状態となっているときに、決定ボタン５４１Ｅを押下処理する操作である。
【０２２６】
ステップＳ２１２において、ＹＥＳならば、ステップＳ２１３に進む。一方、ステップＳ２１２において、ＮＯならば、再度、ステップＳ２１２の処理が行なわれる。ここでは、一例として、ボタン画像ＢＧ２１５が選択状態であるときに、コンテンツ取得操作があったとして、ステップＳ２１３に進む。以下においては、コンテンツ取得操作により、サービスサーバ８００Ａに対し、取得要求されるコンテンツを取得要求コンテンツという。この場合、タイトルが「Ｆドラマ」であるコンテンツが取得要求コンテンツとなる。
【０２２７】
ステップＳ２１３では、制御部５１０が、コンテンツ取得要求としてのコンテンツ取得リモコン信号を、通信部５６０を利用して、映像表示装置６００へ送信する。そして、このステップＳ２１３の処理は終了する。この場合、コンテンツ取得リモコン信号は、タイトルが「Ｆドラマ」の取得要求コンテンツをサービスサーバ８００Ａから受信するためのリモコン信号である。
【０２２８】
映像表示装置６００では、ステップＳ２２１の処理の後、ステップＳ２２２に進む。
ステップＳ２２２では、制御部６１０が、コンテンツ取得要求としてのコンテンツ取得リモコン信号を受信したか否かを判定する。ステップＳ２２２において、ＹＥＳならば、ステップＳ２２３に進む。一方、ステップＳ２２２において、ＮＯならば、再度、ステップＳ２２２の処理が行なわれる。ここでは、コンテンツ取得要求としての、タイトルが「Ｆドラマ」の取得要求コンテンツを受信するためのコンテンツ取得リモコン信号を受信したとして、ステップＳ２２３に進む。この場合、コンテンツ取得リモコン信号は、通信端末装置５００が映像表示装置６００を操作するための制御信号である。
【０２２９】
ステップＳ２２３では、制御部６１０が、通信部６６２を利用して、サービスサーバ８００Ａから、受信したコンテンツ取得リモコン信号が特定するコンテンツを取得するためのコンテンツ取得要求Ａを、サービスサーバ８００Ａへ送信する。その後、ステップＳ２２３の処理は終了する。コンテンツ取得要求Ａには、取得要求コンテンツを特定するためのＩＤ番号が含まれる。ここでは、コンテンツ取得要求Ａには、タイトルが「Ｆドラマ」の取得要求コンテンツを特定するためのＩＤ番号「１２３８」（図１４参照）が含まれているとする。
【０２３０】
処理Ｓでは、まず、ステップＳ２４２の処理が行なわれる。
ステップＳ２４２では、制御部８１０が、コンテンツ取得要求Ａを受信したか否かを判定する。ステップＳ２４２において、ＹＥＳならば、ステップＳ２４３に進む。一方、ステップＳ２４２において、ＮＯならば、再度、ステップＳ２４２の処理が行なわれる。
【０２３１】
ステップＳ２４３では、コンテンツ配信処理が行なわれる。コンテンツ配信処理では、制御部８１０が、取得要求コンテンツを、コンテンツ取得要求Ａを送信した映像表示装置６００へストリーミング配信する処理を開始する。なお、取得要求コンテンツは、放送電波として、映像表示装置６００へされてもよい。
【０２３２】
ここで、取得要求コンテンツは、ＭＰＥＧ２−ＴＳ（Transport Stream）形式で圧縮された動画像データであるとする。なお、動画像データの圧縮形式は、ＭＰＥＧ２−ＴＳ形式に限定されることなく、他の形式で圧縮されたデータであってもよい。ここで、他の形式とは、たとえば、ＭＰＥＧ２、Ｈ．２６４等の形式である。また、取得要求コンテンツは、タイトルが「Ｆドラマ」の動画像データであるとする。なお、取得要求コンテンツは、ストリーミング配信ではなく、映像表示装置６００が、取得要求コンテンツをダウンロード可能なように送信されてもよい。
【０２３３】
取得要求コンテンツの配信が終了すると、ステップＳ２４３の処理は終了し、再度、ステップＳ２４２の処理が行なわれる。なお、取得要求コンテンツには、以下のメタデータが含まれる。すなわち、メタデータは、取得要求コンテンツに対応するデータである。取得要求コンテンツが、タイトルが「Ｆドラマ」の動画像データである場合、当該メタデータは、以下のメタデータＤ３００であるとする。
【０２３４】
図１９は、一例としてのメタデータＤ３００を示す図である。図１９を参照して、メタデータＤ３００には、関連情報が含まれる。関連情報は、対応する取得要求コンテンツに関連する情報である。また、メタデータＤ３００には、対応する取得要求コンテンツに関連する情報を参照するためのＵＲＬ（以下、要求コンテンツ関連情報参照ＵＲＬともいう）が含まれる。
【０２３５】
再び、図１６を参照して、映像表示装置６００では、ステップＳ２２３の処理の後、ステップＳ２２４に進む。
【０２３６】
ステップＳ２２４では、制御部６１０が、コンテンツ表示処理を実行する。コンテンツ表示処理は、他の処理とは独立して行なわれる処理である。その後、ステップＳ２２５に進む。
【０２３７】
コンテンツ表示処理では、制御部６１０が、ＶＤＰ６３２を利用して、取得要求コンテンツをサービスサーバ８００Ａから受信しながら、取得要求コンテンツの再生（復号化）を行ない、取得要求コンテンツに基づく画像（以下、コンテンツ画像ともいう）を、表示部６３０に表示するストリーミング再生表示処理が行なわれる。この場合、表示部６３０には、以下のコンテンツ表示画像Ｇ３００が表示される。
【０２３８】
図２０は、一例としてのコンテンツ表示画像Ｇ３００を示す図である。図２０を参照して、コンテンツ表示画像Ｇ３００には、取得要求コンテンツに基づくコンテンツ画像が表示される。また、コンテンツ表示画像Ｇ３００には、操作ガイダンス画像Ｇ３７０が配置される。操作ガイダンス画像Ｇ３７０には、映像表示装置６００を、通信端末装置５００により操作するための操作ガイダンス情報が表示される。
【０２３９】
操作ガイダンス情報は、一例として、「左方向ボタン（巻き戻し）、右方向ボタン（早送り）、上方向ボタン（一時停止）、下方向ボタン（停止）、決定ボタン（再生）」という情報である。左方向ボタン、右方向ボタン、上方向ボタンおよび下方向ボタンは、それぞれ、通信端末装置５００の方向ボタン５４１Ｃ，５４１Ｄ，５４１Ａ，５４１Ｂの操作部名である。したがって、操作ガイダンス画像Ｇ３７０に示される操作ガイダンス情報によれば、たとえば、右方向ボタンである方向ボタン５４１Ｄが押下処理されることにより、現在、再生中のコンテンツを早送りできることが分かる。すなわち、操作ガイダンス画像Ｇ３７０に示される操作ガイダンス情報を参照することで、通信端末装置５００を操作するユーザは、どのボタンを操作すればどのような処理が行なわれるか容易に認識することができる。操作ガイダンス画像Ｇ３７０に示される操作ガイダンス情報では、一例として、再生中のコンテンツに対し、巻き戻し処理、早送り処理、一時停止処理、停止処理、再生処理等を行なうことができることを示す。
【０２４０】
表示部６３０にコンテンツ表示画像Ｇ３００が表示されているときに、通信端末装置５００において、たとえば、方向ボタン５４１Ｄが押下処理されると、前述した図１７のステップＳ１６，Ｓ２２の処理により、再生中のコンテンツが、早送りされる。
【０２４１】
再び、図１６を参照して、コンテンツ表示処理では、さらに、制御部６１０が、取得要求コンテンツに含まれるメタデータを記憶部６２０に記憶させる。なお、取得要求コンテンツの受信が完了し、取得要求コンテンツに基づく画像の再生が終了した場合、このコンテンツ表示処理は終了する。
【０２４２】
ステップＳ２２５では、制御部６１０が、取得要求コンテンツに含まれるメタデータを、通信端末装置５００へ送信する。ここで、送信されるメタデータは、図１９のメタデータＤ３００であるとする。なお、送信されるメタデータには、通信端末装置５００の装置ＩＤ（“１１ＭＡ”）が付加される。その後、ステップＳ２２５の処理は終了する。
【０２４３】
通信端末装置５００では、ステップＳ２１３の処理の後、ステップＳ２１４に進む。
ステップＳ２１４では、制御部５１０が、自装置の装置ＩＤ（“１１ＭＡ”）が付加されたメタデータを受信したか否かを判定する。ステップＳ２１４において、ＹＥＳならば、ステップＳ２１５に進む。一方、ステップＳ２１４において、ＮＯならば、再度、ステップＳ２１４の処理が行なわれる。ここでは、自装置の装置ＩＤ（“１１ＭＡ”）が付加されたメタデータＤ３００を受信したとして、ステップＳ２１５に進む。
【０２４４】
ステップＳ２１５では、情報表示処理が行なわれる。情報表示処理では、制御部５１０が、ＶＤＰ５３２を利用して、受信したメタデータＤ３００に基づいて情報表示画像ＭＧ５００を生成し、情報表示画像ＭＧ５００を表示部５３０に表示する。そして、ステップＳ２１５の処理は終了する。
【０２４５】
図２１は、一例としての情報表示画像ＭＧ５００を示す図である。図２１を参照して、情報表示画像ＭＧ５００には、メタデータＤ３００に含まれる関連情報が表示される。
【０２４６】
したがって、ユーザは、映像表示装置６００に表示されているコンテンツに関連する情報を、手軽に手元の通信端末装置５００において参照することができるという効果を奏する。
【０２４７】
また、情報表示画像ＭＧ５００には、メタデータＤ３００に含まれる要求コンテンツ関連情報参照ＵＲＬと関連付けられたハイパーリンク文字列（たとえば、「詳細はこちら」という文字列）が表示される。ユーザは、表示部５３０に表示されている、「詳細はこちら」というハイパーリンク文字列をタッチ操作することで、前述の図１７のステップＳ１２の処理により、要求コンテンツ関連情報参照ＵＲＬにより特定されるＷｅｂページの情報を参照することができる。
【０２４８】
なお、情報表示画像ＭＧ５００に表示される情報が、１つの画面内に収まらない場合は、情報表示画像ＭＧ５００に、情報をスクロール表示させるためのスクロールバーを表示させてもよい。
【０２４９】
また、情報表示画像ＭＧ５００には、ボタン画像ＭＢＧ５９０が配置される。ボタン画像ＭＢＧ５９０は、押下処理されることにより、自装置の電源をオフするためのボタン画像である。
【０２５０】
再び、図１６を参照して、ステップＳ２１５の処理の後、ステップＳ２１７に進む。
ステップＳ２１７では、制御部５１０が、電源オフ操作対応処理Ｍを実行する。電源オフ操作対応処理Ｍは、他の処理とは独立して行なわれる処理である。その後、再度、ステップＳ２１２の処理が行なわれる。
【０２５１】
映像表示装置６００では、ステップＳ２２５の処理の後、ステップＳ２２７に進む。
ステップＳ２２７では、制御部６１０が、電源オフ操作対応処理Ｔを実行する。電源オフ操作対応処理Ｔは、他の処理とは独立して行なわれる処理である。その後、再度、ステップＳ２２２の処理が行なわれる。
【０２５２】
図２２は、電源オフ操作対応処理Ｍおよび電源オフ操作対応処理Ｔのフローチャートである。通信端末装置５００が電源オフ操作対応処理Ｍを行なう場合、表示部５３０には、図２１の情報表示画像ＭＧ５００が表示されているとする。図２２を参照して、通信端末装置５００が行なう電源オフ操作対応処理Ｍでは、まず、ステップＳ３１１の処理が行なわれる。
【０２５３】
ステップＳ３１１では、制御部５１０が、表示装置電源オフ操作があるか否かを判定する。表示装置電源オフ操作とは、通信端末装置５００がリモコンモードである場合に、電源ボタンとしての機能ボタン５４３Ｂを押下処理するためのインターフェース操作Ｍである。ステップＳ３１１において、ＹＥＳならば、ステップＳ３１２に進む。一方、ステップＳ３１１において、ＮＯならば、後述するステップＳ３１５に進む。ここでは、表示装置電源オフ操作があったとして、ステップＳ３１２に進む。
【０２５４】
ステップＳ３１２では、制御部５１０が、電源リモコン信号を、映像表示装置６００へ送信する。そして、このステップＳ３１２の処理は終了する。
【０２５５】
映像表示装置６００が行なう電源オフ操作対応処理Ｔでは、まず、ステップＳ３２１の処理が行なわれる。
【０２５６】
ステップＳ３２１では、制御部６１０が、電源リモコン信号を受信したか否かを判定する。ステップＳ３２１において、ＹＥＳならば、ステップＳ３２２に進む。一方、ステップＳ３２１において、ＮＯならば、再度、ステップＳ３２１の処理が行なわれる。
【０２５７】
ステップＳ３２２では、待機モード設定処理が行なわれる。待機モード設定処理では、制御部６１０が、前述の画像表示電源をオフにし、映像表示装置６００を待機モードにする。これにより、表示部６３０に画像が表示されなくなる。そして、この電源オフ操作対応処理Ｔは終了する。
【０２５８】
通信端末装置５００が行なう電源オフ操作対応処理Ｍでは、ステップＳ３１２の処理の後、ステップＳ３１３に進む。
【０２５９】
ステップＳ３１３では、待ち受け画像表示処理が行なわれる。待ち受け画像表示処理では、制御部５１０が、通信端末装置５００のリモコンモードを解除する。また、制御部５１０は、ＶＤＰ５３２を利用して、前述の、図１１の待ち受け画像ＭＧ２００を、表示部５３０に表示させる。そして、この電源オフ操作対応処理Ｍは終了する。
【０２６０】
前述のステップＳ３１１において、ＮＯならば、ステップＳ３１５に進む。
ステップＳ３１５では、制御部５１０が、自装置電源オフ操作があるか否かを判定する。自装置電源オフ操作とは、ボタン画像ＭＢＧ５９０を押下処理するためのインターフェース操作Ｍである。ステップＳ３１５において、ＹＥＳならば、ステップＳ３１６に進む。一方、ステップＳ３１５において、ＮＯならば、再度、ステップＳ３１１の処理が行なわれる。
【０２６１】
ステップＳ３１６では、制御部５１０が、電源リモコン信号を、映像表示装置６００へ送信する。そして、このステップＳ３１６の処理は終了する。
【０２６２】
そして、映像表示装置６００が行なう電源オフ操作対応処理Ｔでは、前述したステップＳ３２１において、ＹＥＳと判定され、前述したステップＳ３２２の処理が行なわれる。この処理により、映像表示装置６００は、待機モードになる。これにより、表示部６３０に画像が表示されなくなる。そして、この電源オフ操作対応処理Ｔは終了する。
【０２６３】
通信端末装置５００が行なう電源オフ操作対応処理Ｍでは、ステップＳ３１６の処理の後、ステップＳ３１７に進む。
【０２６４】
ステップＳ３１７では、自装置電源オフ処理が行なわれる。自装置電源オフ処理では、制御部５１０が、自装置である通信端末装置５００の電源をオフにする。そして、この電源オフ操作対応処理Ｍは終了する。
【０２６５】
図２３は、本実施の形態における制御部５１０の機能ブロック図である。図２３を参照して、制御部５１０は、通信判定部５１１と、送信部５１２と、処理実行部５１３とを含む。通信判定部５１１は、前述した、図１０のステップＳ１１０の処理を行なう。すなわち、通信判定部５１１は、映像表示装置６００とデータ通信可能であるか否かを判定する。通信判定部５１１の判定結果は、送信部５１２へ送信される。送信部５１２は、映像表示装置６００とデータ通信可能である期間において、通信端末装置５００の方向ボタン５４１Ａ，５４１Ｂ，５４１Ｃ，５４１Ｄ、決定ボタン５４１Ｅ、機能ボタン５４２Ａ，５４２Ｂ，５４３Ａ，５４３Ｂのいずれかの押下操作により、対応するボタンのリモコン信号を、映像表示装置６００へ送信する。映像表示装置６００はリモコン信号を受信することにより、受信したリモコン信号に対応する処理を行なう。
【０２６６】
また、処理実行部５１３は、表示部５３０のタッチ操作により、図１７のステップＳ１２の処理で説明したように、当該タッチ操作に対応する処理を行なう。なお、制御部５１０に含まれる、通信判定部５１１、送信部５１２および処理実行部５１３の全てまたは一部は、ハードウエアで構成されてもよい。
【０２６７】
以上説明したように、本実施の形態では、映像表示装置６００の操作および自装置の操作を、通信端末装置５００において、異なる複数の操作部でそれぞれ行なう。そのため、通信端末装置５００において、映像表示装置６００の操作および自装置の操作を迅速に行なうことができる。
【０２６８】
したがって、複数台の装置を、迅速に操作することができるという効果を奏する。
なお、本発明では、通信端末装置５００の外部に設けられたボタンの押下操作により、映像表示装置６００を操作し、通信端末装置５００の表示部５３０のタッチ操作により、通信端末装置５００の操作を行なっていた。しかしながら、本発明は、上記操作に限定されることなく、通信端末装置５００の外部に設けられたボタンの押下操作により、通信端末装置５００を操作し、通信端末装置５００の表示部５３０のタッチ操作により、映像表示装置６００の操作を行なう構成としてもよい。
【０２６９】
また、本実施の形態では、映像表示装置６００の表示部６３０に表示されているコンテンツに関連する情報を、通信端末装置５００の表示部５３０に表示していた。しかしながら、本実施の形態は、これらに限定されない。たとえば、映像表示装置６００がＷＥＢ画像を表示し、通信端末装置５００は、当該ＷＥＢ画像においてポインターで指示されているリンク先の情報を表示してもよい。
【０２７０】
また、映像表示装置６００は、テレビ番組表を表示し、通信端末装置５００は、選択されている番組の詳細情報を表示してもよい。また、映像表示装置６００は映像を表示し、通信端末装置５００は、表示中の映像の詳細情報を表示してもよい。また、映像表示装置６００は写真を表示し、通信端末装置５００は当該写真の詳細情報を表示してもよい。また、映像表示装置６００は画像を表示し、通信端末装置５００はチャットを行なうための画像を表示してもよい。また、映像表示装置６００は、コンテンツのサンプル画像を再生表示し、通信端末装置５００は、当該コンテンツを購入するための画像を表示してもよい。また、映像表示装置６００は、メニューを表示し、通信端末装置５００は、当該メニューの次の階層のメニューを表示してもよい。上記のように、映像表示装置６００および通信端末装置５００の各々において表示させる画像は、様々な組合せが想定される。
【０２７１】
＜第２の実施の形態＞
本実施の形態では、複数台の通信端末装置５００が、映像表示装置６００に対して、後述する処理を行なう場合の処理について説明する。以下の説明では、一例として、２台の通信端末装置５００が、映像表示装置６００に対して、後述する処理を行なうとする。以下においては、一方の通信端末装置５００を、通信端末装置Ａともいう。また、他方の通信端末装置５００を通信端末装置Ｂともいう。通信端末装置Ａの装置ＩＤは“１１ＭＡ”であるとする。通信端末装置Ｂの装置ＩＤは“１１ＭＢ”であるとする。なお、通信端末装置５００の数は、２台に限定されることなく、３台以上であってもよい。また、映像表示装置６００の装置ＩＤは、“１１ＴＡ”であるとする。
【０２７２】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０２７３】
通信端末装置Ａおよび映像表示装置６００は、第１の実施の形態と同様、図１０のコンテンツ取扱い処理を行なうとする。なお、コンテンツ取扱い処理については、第１の実施の形態と同様なので詳細な説明は繰り返さない。
【０２７４】
上記処理が行なわれることにより、映像表示装置６００の記憶部６２０には、リストデータＤ２００が記憶されるとする。また、上記処理が行なわれることにより、通信端末装置Ａは、リモコンモードに設定され、通信端末装置Ａの記憶部５２０には、操作情報データＤ１００が記憶されるとする。
【０２７５】
なお、通信端末装置Ａおよび映像表示装置６００は、コンテンツ取扱い処理を行なうことにより、それぞれ、操作対応処理Ｍおよび操作対応処理Ｔを行なっているとする。操作対応処理Ｍおよび操作対応処理Ｔについては、第１の実施の形態と同様なので詳細な説明は繰り返さない。
【０２７６】
次に、通信端末装置Ａおよび映像表示装置６００の各々が、コンテンツ取扱い処理を行なった後、通信端末装置Ａおよび映像表示装置６００がそれぞれ、操作対応処理Ｍおよび操作対応処理Ｔを行なっている状態において、映像表示装置６００および通信端末装置Ｂが行なう処理（以下、データ通信確立処理ともいう）について説明する。データ通信確立処理は、上記処理とは、独立して行なわれる処理である。なお、映像表示装置６００は、通常モードであるとする。
【０２７７】
図２４は、データ通信確立処理のフローチャートである。図２４では、通信端末装置Ｂおよび映像表示装置６００の各々において行なわれる処理を示す。なお、データ通信確立処理が行なわれる前に、通信端末装置Ｂの表示部５３０には、図１１の待ち受け画像ＭＧ２００が表示されているとする。図２４を参照して、映像表示装置６００では、まず、ステップＳ４２０の処理が行なわれる。
【０２７８】
ステップＳ４２０では、接続信号送信処理が行なわれる。接続信号送信処理では、制御部６１０が、無線データ通信機能により接続信号を送信する。無線データ通信機能は、一例として、Bluetooth（登録商標）を使用した通信機能であるとする。接続信号には、映像表示装置６００の装置ＩＤ（“１１ＴＡ”）が含まれる。上記処理により送信される接続信号は、映像表示装置６００の設置位置から、一例として、半径１０メートルの範囲内まで到達するものとする。すなわち、上記処理により、映像表示装置６００の設置位置から、一例として、半径１０メートルの接続信号受信可能範囲内にある装置は、接続信号を受信可能であるとする。ここで、通信端末装置Ｂは、電源がオン状態であり、かつ、接続信号受信可能範囲内にあるとする。その後、このステップＳ４２０の処理は終了する。
【０２７９】
通信端末装置Ｂでは、まず、ステップＳ４１０の処理が行なわれる。
ステップＳ４１０では、制御部５１０が、映像表示装置６００とデータ通信可能であるか否かを判定する。具体的には、制御部５１０が、接続信号を受信したか否かを判定する。ステップＳ４１０において、ＹＥＳならば、ステップＳ４１１に進む。一方、ステップＳ４１０において、ＮＯならば、再度、ステップＳ４１０の処理が行なわれる。ここでは、接続信号を受信したとして、ステップＳ４１１に進む。ステップＳ４１０において、ＹＥＳと判定される場合は、制御部５１０が、映像表示装置６００とデータ通信可能であると判定した場合である。
【０２８０】
ステップＳ４１１では、制御部５１０が、無線データ通信機能により接続確立信号を、接続信号を送信した映像表示装置６００へ送信する。接続確立信号には、受信した接続信号に含まれる装置ＩＤ（“１１ＴＡ”）と、通信端末装置Ｂの装置ＩＤ（“１１ＭＢ”）とが含まれる。そして、制御部５１０は、ＬＥＤ５７６に、たとえば、青色の光を発光させる。青色の光は、たとえば、映像表示装置６００とデータ通信可能である状態を示す。その後、ステップＳ４１１の処理は終了する。
【０２８１】
映像表示装置６００では、ステップＳ４２０の処理の後、ステップＳ４２１に進む。
ステップＳ４２１では、制御部６１０が、自装置の装置ＩＤを含む接続確立信号を受信したか否かを判定する。ステップＳ４２１において、ＹＥＳならば、ステップＳ４２２に進む。一方、ステップＳ４２１において、ＮＯならば、所定時間（たとえば、１０秒）、処理を停止した後、再度、ステップＳ４２０の処理が行なわれる。すなわち、制御部６１０は、接続確立信号を受信するまで、所定時間間隔で、接続信号受信可能範囲内の装置へ接続信号を送信する。ここでは、自装置の装置ＩＤ（“１１ＴＡ”）と、通信端末装置Ｂの装置ＩＤ（“１１ＭＢ”）とを含む接続確立信号を受信したとして、ステップＳ４２２に進む。
【０２８２】
ステップＳ４２２では、自装置を操作中の装置があるか否かが判定される。具体的には、制御部６１０が、自装置（映像表示装置６００）をリモコン信号により操作している装置とデータ通信可能であるか否かを判定する。すなわち、制御部６１０は、映像表示装置６００が送信した操作情報データを受信し、リモコンモードに設定された通信端末装置とデータ通信可能であるか否かを判定する。ステップＳ４２２において、ＹＥＳならば、ステップＳ４２３に進む。一方、ステップＳ４２２において、ＮＯならば、後述するステップＳ４２４に進む。ここでは、リモコン信号により映像表示装置６００を操作している装置とデータ通信可能であるとして、ステップＳ４２３に進む。リモコン信号によりを操作している装置は、通信端末装置Ａであるとする。
【０２８３】
ステップＳ４２３では、制御部６１０が、操作不可信号を、装置ＩＤ（“１１ＭＢ”）の通信端末装置Ｂへ送信する。操作不可信号は、自装置（映像表示装置６００）をリモコン信号により操作不可であることを示す信号である。なお、送信される操作不可信号には、送信先の装置の装置ＩＤ（“１１ＭＢ”）が付加される。その後、このデータ通信確立処理における映像表示装置６００の処理は終了する。
【０２８４】
通信端末装置Ｂでは、ステップＳ４１１の処理の後、ステップＳ４１２に進む。
ステップＳ４１２では、制御部５１０が、自装置の装置ＩＤ（“１１ＭＢ”）が付加された操作不可信号を受信したか否かを判定する。ステップＳ４１２において、ＹＥＳならば、ステップＳ４１２Ａに進む。一方、ステップＳ４１２において、ＮＯならば、後述するステップＳ４１３に進む。
【０２８５】
ステップＳ４１２Ａでは、制御部５１０が、ＶＤＰ５３２を利用して、以下の操作不可情報表示画像ＭＧ６００を生成し、操作不可情報表示画像ＭＧ６００を表示部５３０に表示する。そして、このデータ通信確立処理における通信端末装置Ｂの処理は終了する。
【０２８６】
図２５は、一例としての操作不可情報表示画像ＭＧ６００を示す図である。図２５を参照して、操作不可情報表示画像ＭＧ６００には、通信端末装置Ｂでは、映像表示装置を操作できない旨のメッセージが表示される。当該メッセージは、たとえば、「現在、映像表示装置を操作中の通信端末装置が存在します。そのため、現在、この装置では、映像表示装置を操作できません。」というメッセージである。
【０２８７】
なお、ステップＳ４１２Ａの処理により、表示部５３０に表示される操作不可情報表示画像は、操作不可情報表示画像ＭＧ６００に限定されない。操作不可情報表示画像は、たとえば、画像内の所定箇所（たとえば、右上）に、他の装置が映像表示装置を操作していて操作できない旨を示すアイコンを表示した画像であってもよい。また、操作不可情報表示画像は、映像表示装置を操作するための複数のボタン画像が配置されたリモコン画像（たとえば、図９のリモコン画像ＭＧ１００）において、複数のボタン画像を操作できない旨を示すために、複数のボタン画像がグレー表示された画像であってもよい。
【０２８８】
再び、図２４を参照して、映像表示装置６００では、前述のステップＳ４２２において、ＮＯならば、ステップＳ４２４に進む。
【０２８９】
ステップＳ４２４では、制御部６１０が、受信した接続確立信号に含まれる、自装置の装置ＩＤでない装置ＩＤに対応する操作情報データを、記憶部６２０から読出し、接続確立信号に含まれる自装置の装置ＩＤでない装置ＩＤの装置へ送信する。なお、送信される操作情報データには、送信先の装置の装置ＩＤと、自装置の装置ＩＤとが付加される。その後、このデータ通信確立処理における映像表示装置６００の処理は終了する。
【０２９０】
前述したように、記憶部６２０には、複数種類の装置にそれぞれ対応する複数の操作情報データが予め記憶されている。複数の操作情報データの各々は、対応する装置が有するボタンの数、タッチパネル機能の有無等の情報に基づいて、対応する装置が、映像表示装置６００を操作するために使用するデータである。
【０２９１】
ここで、受信した接続確立信号に含まれる自装置の装置ＩＤでない装置ＩＤは、“１１ＭＢ”である。装置ＩＤ（“１１ＭＢ”）の装置は、通信端末装置Ｂ（通信端末装置５００）である。装置ＩＤ“１１ＭＢ”に対応する操作情報データは、図１２の操作情報データＤ１００であるとする。したがって、送信先の装置の装置ＩＤ（“１１ＭＢ”）と、自装置の装置ＩＤ（“１１ＴＡ”）とが付加された、操作情報データＤ１００が、通信端末装置Ｂへ送信される。
【０２９２】
通信端末装置Ｂでは、ステップＳ４１２において、ＮＯならば、ステップＳ４１３に進む。
【０２９３】
ステップＳ４１３では、制御部５１０が、自装置の装置ＩＤ（“１１ＭＢ”）が付加された操作情報データを受信したか否かを判定する。ステップＳ４１３において、ＹＥＳならば、ステップＳ４１４に進む。一方、ステップＳ４１３において、ＮＯならば、再度、ステップＳ４１２の処理が行なわれる。ここでは、自装置の装置ＩＤ（“１１ＭＢ”）と、映像表示装置６００の装置ＩＤ（“１１ＴＡ”）とが付加された操作情報データＤ１００を受信したとして、ステップＳ４１４に進む。
【０２９４】
ステップＳ４１４では、制御部５１０が、通信端末装置Ｂをリモコンモードに設定する。また、制御部５１０は、受信した操作情報データＤ１００を、記憶部５２０に記憶させる。そして、制御部５１０は、ＶＤＰ５３２を利用して、図１３のメッセージ画像ＭＧ３００を生成し、メッセージ画像ＭＧ３００を表示部５３０に表示する。
【０２９５】
また、制御部５１０は、ＬＥＤ５７６に、たとえば、赤色の光を発光させる。赤色の光は、たとえば、通信端末装置Ｂが、映像表示装置６００を操作可能な状態であることを示す。その後、このデータ通信確立処理における通信端末装置Ｂの処理は終了する。
【０２９６】
以上のデータ通信確立処理により、通信端末装置Ｂと映像表示装置６００とは、データ通信可能な状態となる。
【０２９７】
なお、本実施の形態では、通信端末装置Ｂは、ステップＳ４１２において、操作不可信号を受信したとする。すなわち、通信端末装置Ｂは、リモコンモードに設定されてない状態で、映像表示装置６００とデータ通信可能な状態であるとする。以下においては、リモコンモードに設定されてない状態を、非リモコンモードともいう。すなわち、通信端末装置Ｂは非リモコンモードである。
【０２９８】
次に、リモコンモードに設定された通信端末装置Ａの操作により、映像表示装置６００の表示部６３０に、図１５のリスト画像Ｇ２００が表示された場合の処理（以下、コンテンツ情報処理ともいう）について説明する。
【０２９９】
図２６は、コンテンツ情報処理のフローチャートである。図２６では、通信端末装置Ａ、通信端末装置Ｂおよび映像表示装置６００の各々において行なわれる処理を示す。図２６を参照して、映像表示装置６００では、ステップＳ５２１の処理が行なわれる。
【０３００】
ステップＳ５２１では、制御部６１０が、通信端末装置Ａの装置ＩＤ（“１１ＭＡ”）を付加した選択コンテンツ情報を、通信端末装置Ａへ送信する。また、制御部６１０が、通信端末装置Ｂの装置ＩＤ（“１１ＭＢ”）を付加した選択コンテンツ情報を、通信端末装置Ｂへ送信する。
【０３０１】
前述したように、選択コンテンツ情報とは、表示部６３０に表示されているリスト画像Ｇ２００において、選択状態のボタン画像に対応するコンテンツの関連情報である。リスト画像Ｇ２００において、ボタン画像ＢＧ２１５が選択状態である場合、図１４のリストデータＤ２００における管理番号“５”のコンテンツ情報に含まれる、「タイトル」、「ジャンル」、「出演者」等の情報を含む情報が、選択コンテンツ情報となる。
【０３０２】
なお、ステップＳ５２１の選択コンテンツ情報の送信処理は、選択状態のボタン画像が変化する毎に行なわれる。その後、このコンテンツ情報処理における映像表示装置６００の処理は終了する。
【０３０３】
通信端末装置Ａでは、ステップＳ５１１の処理が行なわれる。
ステップＳ５１１では、選択コンテンツ情報受信処理が行なわれる。選択コンテンツ情報受信処理では、図１６のステップＳ２１１の処理と同様な処理が行なわれる。具体的には、制御部５１０が、自装置の装置ＩＤ（“１１ＭＡ”）が付加された選択コンテンツ情報を受信し、受信した選択コンテンツ情報を、記憶部５２０に記憶させる。
【０３０４】
そして、制御部５１０は、ＶＤＰ５３２を利用して、選択コンテンツ情報に基づいた、図１８のコンテンツ情報画像ＭＧ４００を生成し、コンテンツ情報画像ＭＧ４００を、表示部５３０に表示させる。その後、このコンテンツ情報処理における通信端末装置Ａの処理は終了する。
【０３０５】
通信端末装置Ｂでは、ステップＳ５３１の処理が行なわれる。
ステップＳ５３１では、ステップＳ５１１と同様に、選択コンテンツ情報受信処理が行なわれるので詳細な説明は繰り返さない。この処理により、通信端末装置Ｂの表示部５３０には、コンテンツ情報画像ＭＧ４００が表示される。その後、このコンテンツ情報処理における通信端末装置Ｂの処理は終了する。
【０３０６】
以上の処理により、映像表示装置６００とデータ通信可能な状態の通信端末装置は、リモコンモードおよび非リモコンモードのいずれの状態でも、映像表示装置６００から送信された情報を受信し、受信した情報を参照することができる。
【０３０７】
次に、リモコンモードに設定された通信端末装置Ａの操作により、映像表示装置６００の表示部６３０に、取得要求コンテンツに基づく、図２０のコンテンツ表示画像Ｇ３００が表示された場合の処理（以下、コンテンツ表示時処理ともいう）について説明する。
【０３０８】
図２７は、コンテンツ表示時処理のフローチャートである。図２７では、通信端末装置Ａ、通信端末装置Ｂおよび映像表示装置６００の各々において行なわれる処理を示す。図２７を参照して、映像表示装置６００では、ステップＳ６２５の処理が行なわれる。
【０３０９】
ステップＳ６２５では、制御部６１０が、通信端末装置Ａの装置ＩＤ（“１１ＭＡ”）を付加したメタデータを、通信端末装置Ａへ送信する。また、制御部６１０が、通信端末装置Ｂの装置ＩＤ（“１１ＭＢ”）を付加したメタデータを、通信端末装置Ｂへ送信する。当該メタデータは、取得要求コンテンツに含まれるデータである。ここで、取得要求コンテンツが、タイトルが「Ｆドラマ」の動画像データであるとする。この場合、通信端末装置Ａおよび通信端末装置Ｂへ送信されるメタデータは、図１９のメタデータＤ３００であるとする。その後、このコンテンツ表示時処理における映像表示装置６００の処理は終了する。
【０３１０】
通信端末装置Ａでは、ステップＳ６１４の処理が行なわれる。
ステップＳ６１４では、制御部５１０が、自装置の装置ＩＤ（“１１ＭＡ”）が付加されたメタデータを受信したか否かを判定する。ステップＳ６１４において、ＹＥＳならば、ステップＳ６１５に進む。一方、ステップＳ６１４において、ＮＯならば、再度、ステップＳ６１４の処理が行なわれる。ここでは、自装置の装置ＩＤ（“１１ＭＡ”）が付加されたメタデータＤ３００を受信したとして、ステップＳ６１５に進む。
【０３１１】
ステップＳ６１５では、図１６のステップＳ２１５と同様に情報表示処理が行なわれるので詳細な説明は繰り返さない。この処理により、通信端末装置Ａの表示部５３０には、図２１の情報表示画像ＭＧ５００が表示される。その後、このコンテンツ表示時処理における通信端末装置Ａの処理は終了する。
【０３１２】
通信端末装置Ｂでは、ステップＳ６３４の処理が行なわれる。
ステップＳ６３４では、制御部５１０が、自装置の装置ＩＤ（“１１ＭＢ”）が付加されたメタデータを受信したか否かを判定する。ステップＳ６３４において、ＹＥＳならば、ステップＳ６３５に進む。一方、ステップＳ６３４において、ＮＯならば、再度、ステップＳ６３４の処理が行なわれる。ここでは、自装置の装置ＩＤ（“１１ＭＢ”）が付加されたメタデータＤ３００を受信したとして、ステップＳ６３５に進む。
【０３１３】
ステップＳ６１５では、ステップＳ２１５と同様に情報表示処理が行なわれるので詳細な説明は繰り返さない。この処理により、通信端末装置Ｂの表示部５３０には、図２１の情報表示画像ＭＧ５００において、ボタン画像ＭＢＧ５９０が配置されていない情報表示画像が表示される。その後、このコンテンツ表示時処理における通信端末装置Ｂの処理は終了する。
【０３１４】
以上の処理により、映像表示装置６００とデータ通信可能な状態の通信端末装置は、リモコンモードおよび非リモコンモードのいずれの状態でも、映像表示装置６００に表示されているコンテンツに関連する関連情報を受信し、受信した関連情報を参照することができる。
【０３１５】
次に、リモコンモードに設定された通信端末装置Ａの操作により、映像表示装置６００が待機モードになった場合の処理（以下、待機モード移行時処理ともいう）について説明する。
【０３１６】
図２８は、待機モード移行時処理のフローチャートである。図２８では、通信端末装置Ａ、通信端末装置Ｂおよび映像表示装置６００の各々において行なわれる処理を示す。図２８を参照して、通信端末装置Ａでは、図２２の電源オフ操作対応処理Ｍが行なわれるので詳細な説明は繰り返さない。この処理により、電源リモコン信号が、映像表示装置６００へ送信されるとする。
【０３１７】
映像表示装置６００では、ステップＳ７２１の処理が行なわれる。
ステップＳ７２１では、制御部６１０が、電源リモコン信号を受信したか否かを判定する。ステップＳ７２１において、ＹＥＳならば、ステップＳ７２２に進む。一方、ステップＳ７２１において、ＮＯならば、再度、ステップＳ７２１の処理が行なわれる。
【０３１８】
ステップＳ７２２では、待機モード設定処理が行なわれる。待機モード設定処理では、制御部６１０が、前述の画像表示電源をオフにし、映像表示装置６００を待機モードにする。これにより、表示部６３０に画像が表示されなくなる。その後、ステップＳ７２３に進む。
【０３１９】
ステップＳ７２３では、自装置を操作中の装置があるか否かが判定される。具体的には、制御部６１０が、自装置（映像表示装置６００）をリモコン信号により操作している装置とデータ通信可能であるか否かを判定する。すなわち、制御部６１０は、映像表示装置６００が送信した操作情報データを受信し、リモコンモードに設定された通信端末装置Ａとデータ通信可能であるか否かを判定する。ステップＳ７２３において、ＹＥＳならば、再度、ステップＳ７２１の処理が行なわれる。一方、ステップＳ７２３において、ＮＯならば、ステップＳ７２４に進む。ここでは、リモコンモードに設定された通信端末装置Ａが電源オフの状態であり、通信端末装置Ａとデータ通信可能でないとして、ステップＳ７２４に進む。すなわち、ステップＳ７２３において、ＮＯと判定される場合は、リモコンモードに設定された通信端末装置Ａがリモコンモードでなくなった場合である。
【０３２０】
ステップＳ７２４では、図２４のステップＳ４２４と同様な処理が行なわれるので詳細な説明は繰り返さない。この処理により、送信先の装置の装置ＩＤ（“１１ＭＢ”）と、自装置の装置ＩＤ（“１１ＴＡ”）とが付加された、操作情報データＤ１００が、通信端末装置Ｂへ送信される。そして、この待機モード移行時処理における映像表示装置６００の処理は終了する。
【０３２１】
通信端末装置Ｂでは、ステップＳ７１３の処理が行なわれる。
ステップＳ７１３では、制御部５１０が、自装置の装置ＩＤ（“１１ＭＢ”）が付加された操作情報データを受信したか否かを判定する。ステップＳ７１３において、ＹＥＳならば、ステップＳ７１４に進む。一方、ステップＳ７１３において、ＮＯならば、再度、ステップＳ７１３の処理が行なわれる。ここでは、自装置の装置ＩＤ（“１１ＭＢ”）と、映像表示装置６００の装置ＩＤ（“１１ＴＡ”）とが付加された操作情報データＤ１００を受信したとして、ステップＳ７１４に進む。
【０３２２】
ステップＳ７１４では、図２４のステップＳ４１４の処理が行なわれるので詳細な説明は繰り返さない。この処理により、通信端末装置Ｂは、リモコンモードに設定される。また、通信端末装置Ｂの表示部５３０には、図１３のメッセージ画像ＭＧ３００が表示される。また、記憶部５２０には、操作情報データＤ１００が記憶される。
【０３２３】
また、制御部５１０は、ＬＥＤ５７６に、たとえば、赤色の光を発光させる。赤色の光は、たとえば、通信端末装置Ｂが、映像表示装置６００を操作可能な状態であることを示す。その後、この待機モード移行時処理における通信端末装置Ｂの処理は終了する。
【０３２４】
以上の待機モード移行時処理により、リモコンモードに設定された通信端末装置Ａが電源オフの状態になった場合でも、通信端末装置Ｂが、リモコンモードに設定されることにより、通信端末装置Ｂにおいて、映像表示装置６００を操作することが可能となる。
【０３２５】
次に、映像表示装置６００とデータ通信可能な通信端末装置Ａがリモコンモードに設定されており、通信端末装置Ａが映像表示装置６００を操作するための権利（以下、操作権ともいう）を有する状態において、映像表示装置６００が、他の装置と新たにデータ通信可能となった場合の処理について説明する。ここで、映像表示装置６００と新たにデータ通信可能となった装置は、通信端末装置Ｂであるとする。
【０３２６】
ここで、通信端末装置Ａおよび映像表示装置６００の各々が、図１０のコンテンツ取扱い処理を行なった後、通信端末装置Ａおよび映像表示装置６００がそれぞれ、操作対応処理Ｍおよび操作対応処理Ｔを行なっている状態において、映像表示装置６００および通信端末装置Ｂが、前述の図２４のデータ通信確立処理を行なったとする。ここで、通信端末装置Ｂは、データ通信確立処理により、映像表示装置６００から、操作不可信号を受信し、非リモコンモードであるとする。
【０３２７】
以下、データ通信確立処理により、映像表示装置６００と、通信端末装置Ｂとが、互いにデータ通信可能となった後、通信端末装置Ａの有する操作権を他の装置へ移行させる処理（以下、操作権移行処理ともいう）について説明する。ここで、映像表示装置６００は、通常モードであるとする。
【０３２８】
図２９は、操作権移行処理のフローチャートである。図２９では、通信端末装置Ａ、通信端末装置Ｂおよび映像表示装置６００の各々において行なわれる処理を示す。なお、操作権移行処理において、通信端末装置Ａ、通信端末装置Ｂおよび映像表示装置６００の各々において行なわれる処理は、他の処理とは独立して行なわれる処理である。図２９を参照して、映像表示装置６００では、まず、ステップＳ８２０の処理が行なわれる。
【０３２９】
ステップＳ８２０では、制御部６１０が、送信先の装置である通信端末装置Ａの装置ＩＤ（“１１ＭＡ”）を付加した操作権移行プログラムのデータを、通信端末装置Ａへ送信する。操作権移行プログラムは、操作権を他の装置へ移行させるためのプログラムである。なお、操作権移行プログラムは、予め、記憶部６２０に記憶されている。したがって、操作権移行プログラムは、制御部６１０により記憶部６２０から読み出されて、通信端末装置Ａへ送信される。その後、ステップＳ８２０の処理は終了する。
【０３３０】
通信端末装置Ａにおいて操作権移行プログラムが実行されると、以下の操作権移行画像ＭＧ７００が、表示部５３０に表示される。
【０３３１】
図３０は、一例としての操作権移行画像ＭＧ７００を示す図である。図３０を参照して、操作権移行画像ＭＧ７００には、映像表示装置の操作権を他の装置へ移行可能である旨のメッセージと、映像表示装置の操作権を他の装置へ移行するか否かを問合せる旨のメッセージとが表示される。当該メッセージは、たとえば、「映像表示装置の操作権を他の装置へ移行可能です。映像表示装置の操作権を他の装置へ移行しますか？」というメッセージである。
【０３３２】
操作権移行画像ＭＧ７００には、さらに、ボタン画像ＭＢＧ７５０が配置される。操作権移行プログラムのデータには、ボタン画像ＭＢＧ７５０のデータと、操作権移行画像ＭＧ７００内にボタン画像ＭＢＧ７５０を配置する相対座標値の情報、ボタン画像の名称の情報等が含まれる。ボタン画像ＭＢＧ７５０のボタン画像名は、「操作権移行ボタン」である。
【０３３３】
また、操作権移行プログラムのデータには、ボタン画像ＭＢＧ７５０に対応するリモコン信号のデータも含まれる。通信端末装置Ａにおいて操作権移行プログラムが実行されている場合に、ボタン画像ＭＢＧ７５０がタッチ操作されると、タッチ操作されたボタン画像に対応するリモコン信号を、映像表示装置６００へ送信する処理が行なわれる。ボタン画像ＭＢＧ７５０に対応するリモコン信号は、映像表示装置６００の操作権を他の装置へ移行するためのリモコン信号（以下、操作権移行リモコン信号ともいう）である。
【０３３４】
再び、図２９を参照して、ステップＳ８２０の処理では、通信端末装置Ａの装置ＩＤ（“１１ＭＡ”）が付加された操作権移行プログラムのデータが、通信端末装置Ａへ送信されるとする。
【０３３５】
通信端末装置Ａでは、まず、ステップＳ８１１の処理が行なわれる。
ステップＳ８１１では、制御部５１０が、自装置の装置ＩＤ（“１１ＭＡ”）が付加された操作権移行プログラムのデータを受信したか否かを判定する。ステップＳ８１１において、ＹＥＳならば、ステップＳ８１２に進む。一方、ステップＳ８１１において、ＮＯならば、再度、ステップＳ８１１の処理が行なわれる。ここでは、自装置の装置ＩＤ（“１１ＭＡ”）が付加された操作権移行プログラムのデータを受信したとして、ステップＳ８１２に進む。
【０３３６】
ステップＳ８１２では、操作権移行画像表示処理が行なわれる。操作権移行画像表示処理では、制御部５１０が、受信した操作権移行プログラムを実行する。制御部５１０は、操作権移行プログラムが実行することにより、ＶＤＰ５３２を利用して、表示部５３０に、図３０の操作権移行画像ＭＧ７００を表示させる。その後、ステップＳ８１３に進む。
【０３３７】
ステップＳ８１３では、制御部５１０が、操作権移行操作があるか否かを判定する。操作権移行操作とは、ボタン画像ＭＢＧ７５０を押下処理するためのインターフェース操作Ｍである。ステップＳ８１３において、ＹＥＳならば、ステップＳ８１４に進む。一方、ステップＳ８１３において、ＮＯならば、再度、ステップＳ８１３の処理が行なわれる。ここでは、操作権移行操作があったとして、ステップＳ８１４に進む。
【０３３８】
ステップＳ８１４では、制御部５１０が、操作権を移行させるための操作権移行指示としての操作権移行リモコン信号を、映像表示装置６００へ送信する。その後、ステップＳ８１５に進む。
【０３３９】
ステップＳ８１５では、リモコンモード解除処理が行なわれる。リモコンモード解除処理では、制御部５１０が、通信端末装置Ａのリモコンモードを解除する。そして、制御部５１０は、ＶＤＰ５３２を利用して、操作権移行画像ＭＧ７００が表示される前に表示部５３０に表示されていた画像を、再度、表示部５３０に表示させる。そして、再度、ステップＳ８１１の処理が行なわれる。
【０３４０】
映像表示装置６００では、ステップＳ８２０の処理の後、ステップＳ８２１に進む。
ステップＳ８２１では、制御部６１０が、操作権移行指示としての操作権移行リモコン信号を受信したか否かを判定する。ステップＳ８２１において、ＹＥＳならば、ステップＳ８２４に進む。一方、ステップＳ８２１において、ＮＯならば、再度、ステップＳ８２１の処理が行なわれる。ここでは、操作権移行指示としての操作権移行リモコン信号を受信したとして、ステップＳ８２４に進む。
【０３４１】
ステップＳ８２４では、制御部６１０が、新たにデータ通信可能となった装置へ、対応する操作情報データを送信する。ここで、新たにデータ通信可能となった装置は、通信端末装置Ｂであるとする。この場合、制御部６１０は、通信端末装置Ｂの装置ＩＤ（“１１ＭＢ”）に対応する操作情報データを、記憶部６２０から読出し、読み出した操作情報データを、通信端末装置Ｂへ送信する。送信される操作情報データには、送信先の装置の装置ＩＤと、自装置の装置ＩＤとが付加される。この場合、送信先の装置の装置ＩＤ（“１１ＭＢ”）と、自装置の装置ＩＤ（“１１ＴＡ”）とが付加された、図１２の操作情報データＤ１００が、通信端末装置Ｂへ送信されるとする。その後、この操作権移行処理における映像表示装置６００の処理は終了する。
【０３４２】
通信端末装置Ｂでは、まず、ステップＳ８１３の処理が行なわれる。
ステップＳ８１３では、制御部５１０が、自装置の装置ＩＤ（“１１ＭＢ”）が付加された操作情報データを受信したか否かを判定する。ステップＳ８１３において、ＹＥＳならば、ステップＳ８１４に進む。一方、ステップＳ８１３において、ＮＯならば、再度、ステップＳ８１３の処理が行なわれる。ここでは、自装置の装置ＩＤ（“１１ＭＢ”）と、映像表示装置６００の装置ＩＤ（“１１ＴＡ”）とが付加された操作情報データＤ１００を受信したとして、ステップＳ８１４に進む。
【０３４３】
ステップＳ８１４では、図２４のステップＳ４１４の処理が行なわれるので詳細な説明は繰り返さない。この処理により、通信端末装置Ｂは、リモコンモードに設定される。すなわち、通信端末装置Ｂは、操作権を有することになる。すなわち、通信端末装置Ａの有する操作権が、通信端末装置Ｂに移行されたことになる。また、通信端末装置Ｂの表示部５３０には、図１３のメッセージ画像ＭＧ３００が表示される。また、記憶部５２０には、操作情報データＤ１００が記憶される。
【０３４４】
また、制御部５１０は、ＬＥＤ５７６に、たとえば、赤色の光を発光させる。赤色の光は、たとえば、通信端末装置Ｂが、映像表示装置６００を操作可能な状態であることを示す。その後、この操作権移行処理における通信端末装置Ｂの処理は終了する。
【０３４５】
以上の操作権移行処理により、映像表示装置６００を待機モードにすることなく、操作権を他の装置へ移行することが可能となる。また、通信端末装置Ａの表示部５３０に操作権移行画像ＭＧ７００を表示させるので、通信端末装置Ａのユーザは、操作権を他の装置へ移行させることができる旨を認識することが可能となる。
【０３４６】
また、操作権移行操作があった場合に、操作権を、通信端末装置Ａから、通信端末装置Ｂへ移行させるので、通信端末装置Ａのユーザの認識のうえで、操作権を他の装置へ移行させることが可能となる。
【０３４７】
以上説明したように、本実施の形態によれば、リモコンモードに設定された通信端末装置Ａは、非リモコンモードである通信端末装置Ｂに、操作権を移行させることによって、リモコンモードでなくなる。また、リモコンモードの通信端末装置は、自装置の電源を切る操作をすることで操作権が他の装置に移行される。そのため、複数の通信端末装置と、映像表示装置６００とが処理する場合においても、映像表示装置６００の電源の消し忘れ等を防止することにも繋がる。
【０３４８】
図３１は、本実施の形態における制御部５１０および制御部６１０の機能ブロック図である。図３１を参照して、制御部６１０は、第１受信部６１１Ａと、送信部６１２Ａとを含む。第１受信部６１１Ａは、リモコンモードの通信端末装置５００から送信されたリモコン信号を受信する。送信部６１２Ａは、表示部６３０に表示されているコンテンツの関連情報を、複数の通信端末装置５００へ送信する。
【０３４９】
なお、制御部６１０に含まれる、第１受信部６１１Ａおよび送信部６１２Ａの全てまたは一部は、ハードウエアで構成されてもよい。
【０３５０】
制御部５１０は、第２受信部を含む。第２受信部は、送信部６１２Ａから送信された関連情報を受信する。
【０３５１】
なお、制御部５１０に含まれる、送信部６１２Ａは、ハードウエアで構成されてもよい。
【０３５２】
以上説明したように、本実施の形態によれば、１台の映像表示装置６００と、複数台の通信端末装置５００とがデータ通信可能な状態において、リモコンモードに設定された１台の通信端末装置が、映像表示装置６００を操作することにより、映像表示装置６００の表示部６３０に、所望のコンテンツを表示させることができる。表示されるコンテンツは、たとえば、図１５のリスト画像Ｇ２００に表示される複数のボタン画像や、図２０のコンテンツ表示画像Ｇ３００に表示されるコンテンツ画像である。
【０３５３】
そして、映像表示装置６００は、表示部６３０に表示されているコンテンツの関連情報を、複数台の通信端末装置へ送信する。そして、複数台の通信端末装置の各々は、関連情報を受信し、受信した関連情報を表示部５３０に表示する。
【０３５４】
したがって、所望のコンテンツの関連情報を多数の装置の各々で参照することができるという効果を奏する。
【０３５５】
上記では、映像表示装置に関連する情報を多数の装置でそれぞれ参照することができることが記載されているが、映像表示装置のコンテンツに関連しないような情報を通信端末で利用されてもいい。例えば、このような配信サービスにおいて、それぞれの通信端末に、その通信端末の属性に応じた広告が提供されるようなものも考えられる。
【０３５６】
＜第３の実施の形態＞
本実施の形態では、映像表示装置６００の表示部６３０に設けられた複数の表示領域の各々に対して、通信端末装置５００により操作するための処理について説明する。
【０３５７】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０３５８】
次に、映像表示装置６００が、サービスサーバ８００Ａからコンテンツを受信する処理（以下、コンテンツ取扱い処理Ｂともいう）について説明する。なお、映像表示装置６００は、待機モードであるとする。なお、コンテンツ取扱い処理が行なわれる前に、通信端末装置５００の表示部５３０には、図１１の待ち受け画像ＭＧ２００が表示されているとする。
【０３５９】
図３２は、コンテンツ取扱い処理Ｂのフローチャートである。図３２では、通信端末装置５００、映像表示装置６００、サービスサーバ８００Ａの各々において行なわれる処理を示す。図３２を参照して、コンテンツ取扱い処理Ｂは、図１０のコンテンツ取扱い処理と比較して、ステップＳ１１７の代わりにステップＳ１１７Ｂが行なわれる点と、ステップＳ１２７の代わりにステップＳ１２７Ｂが行なわれる点とが異なる。それ以外は、コンテンツ取扱い処理と同様なので詳細な説明は繰り返さない。以下、第１の実施の形態のコンテンツ取扱い処理と異なる処理を、主に説明する。
【０３６０】
コンテンツ取扱い処理Ｂにおいて、ステップＳ１２４の処理が行なわれるまでの通信端末装置５００、映像表示装置６００、サービスサーバ８００Ａの各々で行なわれる処理は、第１の実施の形態のコンテンツ取扱い処理と同様なので詳細な説明は繰り返さない。
【０３６１】
上記処理が行なわれることにより、映像表示装置６００の記憶部６２０には、図１４のリストデータＤ２００が記憶されるとする。また、上記処理が行なわれることにより、通信端末装置５００は、リモコンモードに設定され、通信端末装置５００の記憶部５２０には、図１２の操作情報データＤ１００が記憶されるとする。
【０３６２】
通信端末装置５００では、ステップＳ１１５の処理の後、ステップＳ１１７Ｂに進む。
ステップＳ１１７Ｂでは、制御部５１０が、操作対応処理ＭＢを実行する。操作対応処理ＭＢは、他の処理とは独立して行なわれる処理である。その後、コンテンツ取扱い処理Ｂにおける通信端末装置５００の処理は終了する。
【０３６３】
映像表示装置６００では、ステップＳ１２４の処理の後、ステップＳ１２７Ｂに進む。
ステップＳ１２７Ｂでは、制御部６１０が、操作対応処理ＴＢを実行する。操作対応処理ＴＢは、他の処理とは独立して行なわれる処理である。その後、コンテンツ取扱い処理Ｂにおける映像表示装置６００の処理は終了する。
【０３６４】
サービスサーバ８００Ａでは、ステップＳ１４１の処理の後、ステップＳ１４７に進む。
【０３６５】
ステップＳ１４７では、制御部８１０が、処理Ｓを実行する。処理Ｓは、他の処理とは独立して行なわれる処理である。その後、コンテンツ取扱い処理Ｂにおけるサービスサーバ８００Ａの処理は終了する。
【０３６６】
図３３は、操作対応処理ＭＢ、操作対応処理ＴＢおよび処理Ｓのフローチャートである。図３３を参照して、操作対応処理ＭＢは、図１６の操作対応処理Ｍと比較して、ステップＳ２１４の代わりにステップＳ２１４Ｂが行なわれる点と、ステップＳ２１５の代わりにステップＳ２１５Ｂが行なわれる点とが異なる。それ以外は、操作対応処理Ｍと同様なので詳細な説明は繰り返さない。
【０３６７】
操作対応処理ＴＢは、図１６の操作対応処理Ｔと比較して、ステップＳ２２４の代わりにステップＳ２２４Ｂが行なわれる点と、ステップＳ２２５の代わりにステップＳ２２５Ｂが行なわれる点と、ステップＳ２２６Ｂがさらに行なわれる点とが異なる。それ以外は、操作対応処理Ｔと同様なので詳細な説明は繰り返さない。処理Ｓは、図１６の処理Ｓと同じ処理が行なわれる。以下、操作対応処理ＭＢ、操作対応処理ＴＢおよび処理Ｓにおいて、第１の実施の形態と異なる処理を、主に説明する。
【０３６８】
通信端末装置５００が行なう操作対応処理ＭＢでは、まず、ステップＳ２１０の処理が行なわれる。
【０３６９】
ステップＳ２１０では、第１の実施の形態と同様な処理が行なわれるので詳細な説明は繰り返さない。そして、ステップＳ２１０の処理は終了する。この処理により、図１７の操作判定処理が実行される。
【０３７０】
映像表示装置６００が行なう操作対応処理ＴＢでは、まず、ステップＳ２２０の処理が行なわれる。
【０３７１】
ステップＳ２２０では、第１の実施の形態と同様な処理が行なわれるので詳細な説明は繰り返さない。そして、ステップＳ２２０の処理は終了する。この処理により、図１７の制御信号対応処理が実行される。
【０３７２】
映像表示装置６００が行なう操作対応処理ＴＢでは、ステップＳ２２０の処理の後、ステップＳ２２１の処理が行なわれる。
【０３７３】
ステップＳ２２１では、第１の実施の形態と同様な処理が行なわれるので詳細な説明は繰り返さない。この処理により、通信端末装置５００の装置ＩＤ（“１１ＭＡ”）を付加した選択コンテンツ情報が、通信端末装置５００へ送信される。
【０３７４】
通信端末装置５００が行なう操作対応処理ＭＢでは、ステップＳ２２０の処理の後、ステップＳ２１１の処理が行なわれる。
【０３７５】
ステップＳ２１１では、第１の実施の形態と同様な処理が行なわれるので詳細な説明は繰り返さない。この処理により、受信した選択コンテンツ情報に基づくコンテンツ情報画像が表示部５３０に表示される。その後、ステップＳ２１２に進む。
【０３７６】
ステップＳ２１２では、第１の実施の形態と同様な処理が行なわれるので詳細な説明は繰り返さない。ここでは、一例として、図１５のボタン画像ＢＧ２１５が選択状態であるときに、コンテンツ取得操作があったとして、ステップＳ２１３に進む。この場合、タイトルが「Ｆドラマ」であるコンテンツが取得要求コンテンツとなる。
【０３７７】
ステップＳ２１３では、第１の実施の形態と同様な処理が行なわれるので詳細な説明は繰り返さない。この処理により、コンテンツ取得要求としてのコンテンツ取得リモコン信号が、映像表示装置６００へ送信される。この場合、コンテンツ取得リモコン信号は、タイトルが「Ｆドラマ」の取得要求コンテンツをサービスサーバ８００Ａから受信するためのリモコン信号である。
【０３７８】
映像表示装置６００では、ステップＳ２２１の処理の後、ステップＳ２２２に進む。
ステップＳ２２２では、第１の実施の形態と同様な処理が行なわれるので詳細な説明は繰り返さない。ここでは、コンテンツ取得要求としての、タイトルが「Ｆドラマ」の取得要求コンテンツを受信するためのコンテンツ取得リモコン信号を受信したとして、ステップＳ２２３に進む。
【０３７９】
ステップＳ２２３では、第１の実施の形態と同様な処理が行なわれるので詳細な説明は繰り返さない。この処理により、タイトルが「Ｆドラマ」の取得要求コンテンツを特定するためのＩＤ番号「１２３８」が含まれるコンテンツ取得要求Ａが、サービスサーバ８００Ａへ送信される。
【０３８０】
処理Ｓでは、第１の実施の形態と同様、ステップＳ２４２，Ｓ２４３の処理が行なわれる。これらの処理により、取得要求コンテンツが、映像表示装置６００へストリーミング配信される。なお、取得要求コンテンツには、メタデータが含まれる。当該メタデータは、図１９のメタデータＤ３００であるとする。
【０３８１】
映像表示装置６００では、ステップＳ２２３の処理の後、ステップＳ２２４Ｂに進む。
ステップＳ２２４Ｂでは、制御部６１０が、コンテンツ表示処理Ｂを実行する。コンテンツ表示処理Ｂは、他の処理とは独立して行なわれる処理である。その後、ステップＳ２２４Ｂの処理は終了する。
【０３８２】
コンテンツ表示処理Ｂでは、制御部６１０が、ＶＤＰ６３２を利用して、取得要求コンテンツをサービスサーバ８００Ａから受信しながら、取得要求コンテンツの再生（復号化）を行ない、取得要求コンテンツに基づくコンテンツ画像と、取得要求コンテンツに含まれるメタデータに基づく画像とを表示した画像を生成する。そして、制御部６１０は、ＶＤＰ６３２を利用して、生成した画像を、表示部６３０に表示するストリーミング再生表示処理が行なわれる。以下においては、表示部６３０の画像を表示する全ての表示領域を、全表示領域ともいう。また、制御部６１０は、取得要求コンテンツに含まれるメタデータを記憶部６２０に記憶させる。なお、取得要求コンテンツの受信が完了し、ストリーミング再生表示処理が終了した場合、このコンテンツ表示処理Ｂは終了する。
【０３８３】
図３４は、表示部６３０における、一例としての全表示領域を説明するための図である。図３４を参照して、全表示領域Ｒ１００には、第１表示領域Ｒ１と、第１表示領域Ｒ１内の一部の領域である第２表示領域Ｒ２とが設けられる。
【０３８４】
図３５は、表示部６３０における、一例としての全表示領域を説明するための図である。図３５を参照して、全表示領域Ｒ１００には、第１表示領域Ｒ１と、第２表示領域Ｒ２とが設けられる。第１表示領域Ｒ１と、第２表示領域Ｒ２とは、図３４の場合と異なり、互いに重なり合わない。なお、全表示領域Ｒ１００内に設けられる第１表示領域Ｒ１の配置位置と、第２表示領域Ｒ２の配置位置とは、図３４および図３５に示した位置に限定されることなく、他の位置であってもよい。
【０３８５】
再び、図３３を参照して、コンテンツ表示処理Ｂでは、一例として図３４に示す、表示部６３０の全表示領域Ｒ１００に、以下のコンテンツ表示画像Ｇ３００Ａが表示されるとする。なお、コンテンツ表示処理Ｂにおいて、コンテンツ表示画像Ｇ３００Ａが生成される際に使用されるメタデータは、一例として、図１９のメタデータＤ３００であるとする。
【０３８６】
図３６は、一例としてのコンテンツ表示画像Ｇ３００Ａを示す図である。図３６を参照して、コンテンツ表示画像Ｇ３００Ａは、図２０のコンテンツ表示画像Ｇ３００と比較して、さらに、関連コンテンツ画像Ｇ３２０が配置される点が異なる。それ以外は、コンテンツ表示画像Ｇ３００と同様なので詳細な説明は繰り返さない。コンテンツ表示画像Ｇ３００Ａは、表示部６３０の全表示領域に表示される。したがって、コンテンツ表示画像Ｇ３００Ａに表示されるコンテンツ画像は、表示部６３０の全表示領域に表示される。全表示領域は、図３４に示される第１表示領域Ｒ１である。
【０３８７】
関連コンテンツ画像Ｇ３２０は、コンテンツ画像の前面に表示される。関連コンテンツ画像Ｇ３２０は、第１表示領域Ｒ１内の一部の領域である第２表示領域Ｒ２に表示される。関連コンテンツ画像Ｇ３２０には、メタデータＤ３００に含まれる、コンテンツとしての関連情報が表示される。すなわち、第２表示領域Ｒ２に表示される関連コンテンツ画像Ｇ３２０は、第１表示領域Ｒ１に表示されるコンテンツ画像と関連性のある画像である。したがって、たとえば、第１表示領域Ｒ１に表示されているコンテンツ画像と異なる他のコンテンツ画像を、第１表示領域Ｒ１に表示させる表示制御が行なわれた場合、当該他のコンテンツ画像と関連性のある画像が第２表示領域Ｒ２に表示される。したがって、第２表示領域Ｒ２に表示される画像は、第１表示領域Ｒ１に表示される画像と連動して切り換わる。
【０３８８】
また、関連コンテンツ画像Ｇ３２０には、メタデータＤ３００に含まれる要求コンテンツ関連情報参照ＵＲＬと関連付けられたハイパーリンク文字列（たとえば、「詳細はこちら」という文字列）が表示される。「詳細はこちら」というハイパーリンク文字列がクリック操作されると、要求コンテンツ関連情報参照ＵＲＬにより特定されるＷｅｂページの情報が、第２表示領域Ｒ２に表示される。
【０３８９】
なお、第１表示領域Ｒ１に、メタデータＤ３００に含まれる、コンテンツとしての関連情報が表示され、第２表示領域Ｒ２にコンテンツ画像が表示されてもよい。
【０３９０】
なお、図３５に示す、表示部６３０の全表示領域Ｒ１００にコンテンツ表示画像Ｇ３００Ａが表示されてもよい。この場合、コンテンツ画像が第１表示領域Ｒ１に表示され、メタデータＤ３００に含まれる、コンテンツとしての関連情報が第２表示領域Ｒ２に表示される。この場合、操作ガイダンス画像Ｇ３７０は、第１表示領域Ｒ１に表示される。なお、第１表示領域Ｒ１に、メタデータＤ３００に含まれる、コンテンツとしての関連情報が表示され、第２表示領域Ｒ２にコンテンツ画像が表示されてもよい。
【０３９１】
再び、図３３を参照して、ステップＳ２２４Ｂの処理の後、ステップＳ２２５Ｂに進む。
【０３９２】
ステップＳ２２５Ｂでは、表示状態判定処理が行なわれる。表示状態判定処理では、制御部６１０が、表示部６３０の第２表示領域Ｒ２に表示されている画像の状態を判定する。たとえば、図３４に示す、表示部６３０の全表示領域Ｒ１００にコンテンツ表示画像Ｇ３００Ａが表示されている場合、第２表示領域Ｒ２には、関連コンテンツ画像Ｇ３２０が表示される。この場合、制御部６１０は、第２表示領域Ｒ２に表示されている画像の状態を、「情報表示状態」と判定する。また、第２表示領域Ｒ２に動画像のコンテンツが再生表示されている場合、制御部６１０は、第２表示領域Ｒ２に表示されている画像の状態を、「コンテンツ再生状態」と判定する。表示状態判定処理が終了すると、ステップＳ２２６Ｂに進む。
【０３９３】
ステップＳ２２６Ｂでは、プログラム送信処理が行なわれる。プログラム送信処理では、制御部６１０が、以下の状態対応プログラムテーブルＴ１００に基づいて、表示状態判定処理で判定された状態に対応するプログラムデータを、通信端末装置５００へ送信する。なお、送信されるプログラムデータには、通信端末装置５００の装置ＩＤ（“１１ＭＡ”）が付加される。その後、ステップＳ２２６Ｂの処理は終了する。
【０３９４】
図３７は、一例としての状態対応プログラムテーブルＴ１００を示す図である。図３７を参照して、状態対応プログラムテーブルＴ１００は、複数の状態対応プログラム情報から構成される。「番号」とは、複数の状態対応プログラム情報を管理するための番号である。「状態」とは、前述の表示状態判定処理で判定された状態である。「プログラム名」とは、通信端末装置５００において実行されるプログラムの名称である。なお、状態対応プログラムテーブルＴ１００に表示されるプログラム名の複数のプログラムは、予め、記憶部６２０に記憶されている。
【０３９５】
したがって、表示状態判定処理で判定された状態が、「情報表示状態」である場合、プログラム送信処理では、情報表示操作プログラムのデータが、通信端末装置５００へ送信される。通信端末装置５００において情報表示操作プログラムが実行されると、以下の操作パネル画像ＰＧ５０が、表示部５３０に表示される。
【０３９６】
図３８は、一例としての操作パネル画像ＰＧ５０を示す図である。図３８を参照して、操作パネル画像ＰＧ５０には、ボタン画像ＰＢＧ５２，ＰＢＧ５４，ＰＢＧ５９が配置される。情報表示操作プログラムのデータには、ボタン画像ＰＢＧ５２，ＰＢＧ５４，ＰＢＧ５９のデータと、操作パネル画像ＰＧ５０内にボタン画像ＰＢＧ５２，ＰＢＧ５４，ＰＢＧ５９をそれぞれ配置する複数の相対座標値の情報、ボタン画像の名称の情報等が含まれる。
【０３９７】
ボタン画像ＰＢＧ５２，ＰＢＧ５４，ＰＢＧ５９のボタン画像名は、それぞれ、「上方句ボタン」、「下方向ボタン」および「決定ボタン」である。
【０３９８】
また、情報表示操作プログラムのデータには、ボタン画像ＰＢＧ５２，ＰＢＧ５４，ＰＢＧ５９にそれぞれ対応する複数のリモコン信号のデータも含まれる。通信端末装置５００において情報表示操作プログラムが実行されている場合に、ボタン画像ＰＢＧ５２，ＰＢＧ５４，ＰＢＧ５９のいずれかがタッチ操作されると、タッチ操作されたボタン画像に対応するリモコン信号を、映像表示装置６００へ送信する処理が行なわれる。
【０３９９】
ボタン画像ＰＢＧ５２に対応するリモコン信号は、第２表示領域Ｒ２に表示されている情報を、下方向にスクロールさせるとともに、下方向のハイパーリンク文字列を順次選択するためのリモコン信号である。ボタン画像ＰＢＧ５４に対応するリモコン信号は、第２表示領域Ｒ２に表示されている情報を、上方向にスクロールさせるとともに、上方向のハイパーリンク文字列を順次選択するためのリモコン信号である。ボタン画像ＰＢＧ５９に対応するリモコン信号は、第２表示領域Ｒ２に表示されており、かつ、選択状態のハイパーリンク文字列に関連づけられているＵＲＬで特定されるＷｅｂページの情報を取得するためのリモコン信号である。
【０４００】
再び、図３７を参照して、表示状態判定処理で判定された状態が、「コンテンツ再生状態」である場合、プログラム送信処理では、再生操作プログラムのデータが、通信端末装置５００へ送信される。通信端末装置５００において再生操作プログラムが実行されると、以下の操作パネル画像ＰＧ１００が、表示部５３０に表示される。
【０４０１】
図３９は、一例としての操作パネル画像ＰＧ１００を示す図である。図３９を参照して、操作パネル画像ＰＧ１００には、再生ボタン画像ＰＢＧ１１０と、一時停止ボタン画像ＰＢＧ１１２と、停止ボタン画像ＰＢＧ１２０と、巻き戻しボタン画像ＰＢＧ１３２と、早送りボタン画像ＰＢＧ１３４と、録画ボタン画像ＰＢＧ１４０とが配置される。
【０４０２】
再生操作プログラムのデータには、再生ボタン画像ＰＢＧ１１０、一時停止ボタン画像ＰＢＧ１１２、停止ボタン画像ＰＢＧ１２０、巻き戻しボタン画像ＰＢＧ１３２、早送りボタン画像ＰＢＧ１３４および録画ボタン画像ＰＢＧ１４０のデータと、操作パネル画像ＰＧ１００内に一時停止ボタン画像ＰＢＧ１１２、停止ボタン画像ＰＢＧ１２０、巻き戻しボタン画像ＰＢＧ１３２、早送りボタン画像ＰＢＧ１３４および録画ボタン画像ＰＢＧ１４０をそれぞれ配置する複数の相対座標値の情報、ボタン画像の名称の情報等が含まれる。
【０４０３】
再生ボタン画像ＰＢＧ１１０、一時停止ボタン画像ＰＢＧ１１２、停止ボタン画像ＰＢＧ１２０、巻き戻しボタン画像ＰＢＧ１３２、早送りボタン画像ＰＢＧ１３４および録画ボタン画像ＰＢＧ１４０のボタン画像名は、それぞれ、「再生」、「一時停止」、「停止」、「巻き戻し」、「早送り」および「録画」である。
【０４０４】
また、再生操作プログラムのデータには、再生ボタン画像ＰＢＧ１１０、一時停止ボタン画像ＰＢＧ１１２、停止ボタン画像ＰＢＧ１２０、巻き戻しボタン画像ＰＢＧ１３２、早送りボタン画像ＰＢＧ１３４および録画ボタン画像ＰＢＧ１４０にそれぞれ対応する複数のリモコン信号のデータも含まれる。通信端末装置５００において再生操作プログラムが実行されている場合に、再生ボタン画像ＰＢＧ１１０、一時停止ボタン画像ＰＢＧ１１２、停止ボタン画像ＰＢＧ１２０、巻き戻しボタン画像ＰＢＧ１３２、早送りボタン画像ＰＢＧ１３４および録画ボタン画像ＰＢＧ１４０のいずれかがタッチ操作されると、タッチ操作されたボタン画像に対応するリモコン信号を、映像表示装置６００へ送信する処理が行なわれる。
【０４０５】
再生ボタン画像ＰＢＧ１１０に対応するリモコン信号は、第２表示領域Ｒ２にコンテンツを再生させるためのリモコン信号である。一時停止ボタン画像ＰＢＧ１１２に対応するリモコン信号は、第２表示領域Ｒ２で再生されているコンテンツを一時停止させるためのリモコン信号である。コンテンツの再生が一時停止中である場合に、一時停止ボタン画像ＰＢＧ１１２が、インターフェース操作Ｍにより押下処理されると、コンテンツの再生が再開される。
【０４０６】
停止ボタン画像ＰＢＧ１２０に対応するリモコン信号は、第２表示領域Ｒ２で再生されているコンテンツを停止させるためのリモコン信号である。巻き戻しボタン画像ＰＢＧ１３２に対応するリモコン信号は、第２表示領域Ｒ２で再生されているコンテンツの再生箇所を所定期間（たとえば、１５秒）前の箇所にするためのリモコン信号である。早送りボタン画像ＰＢＧ１３４に対応するリモコン信号は、第２表示領域Ｒ２で再生されているコンテンツの早送り再生をするためのリモコン信号である。具体的には、早送りボタン画像ＰＢＧ１３４は、インターフェース操作Ｍにより、１回、押下処理されることにより、第２表示領域Ｒ２で再生されているコンテンツの再生箇所を所定期間（たとえば、１５秒）後の箇所にするためのボタン画像である。
【０４０７】
録画ボタン画像ＰＢＧ１４０に対応するリモコン信号は、第２表示領域Ｒ２で再生されているコンテンツの録画処理を行なうためのリモコン信号である。
【０４０８】
再び、図３３を参照して、ここでは、ステップＳ２２６Ｂのプログラム送信処理では、通信端末装置５００の装置ＩＤ（“１１ＭＡ”）が付加された情報表示操作プログラムのデータが、通信端末装置５００へ送信されるとする。
【０４０９】
通信端末装置５００では、ステップＳ２１３の処理の後、ステップＳ２１４Ｂに進む。
ステップＳ２１４Ｂでは、制御部５１０が、自装置の装置ＩＤ（“１１ＭＡ”）が付加されたプログラムのデータを受信したか否かを判定する。ステップＳ２１４Ｂにおいて、ＹＥＳならば、ステップＳ２１５Ｂに進む。一方、ステップＳ２１４Ｂにおいて、ＮＯならば、再度、ステップＳ２１４Ｂの処理が行なわれる。ここでは、自装置の装置ＩＤ（“１１ＭＡ”）が付加された情報表示操作プログラムを受信したとして、ステップＳ２１５Ｂに進む。
【０４１０】
ステップＳ２１５Ｂでは、操作パネル画像表示処理が行なわれる。操作パネル画像表示処理では、制御部５１０が、受信したプログラムを実行する。ここで、受信したプログラムは、情報表示操作プログラムであるとする。情報表示操作プログラムが実行されることにより、表示部５３０に、図３８の操作パネル画像ＰＧ５０が表示される。なお、映像表示装置６００の表示部６３０には、図３６のコンテンツ表示画像Ｇ３００Ａが表示されているとする。
【０４１１】
この場合、たとえば、通信端末装置５００において、ボタン画像ＰＢＧ５２に対してタッチ操作があった場合、図１７のステップＳ１２の処理により、制御部５１０は、ボタン画像ＰＢＧ５２に対応する、制御信号としてのリモコン信号を、映像表示装置６００へ送信する。そして、映像表示装置６００では、ボタン画像ＰＢＧ５２に対応するリモコン信号を受信すると、制御部６１０は、ＶＤＰ６３２を利用して、表示部６３０の第２表示領域Ｒ２に表示されている情報を、下方向にスクロールさせるとともに、下方向のハイパーリンク文字列を順次選択する処理を行なう。すなわち，制御部６１０は、操作パネル画像におけるタッチ操作によるリモコン信号を受信すると、第２表示領域Ｒ２に表示される画像の表示制御を行なう。
【０４１２】
また、通信端末装置５００において、ボタン操作があったとする。当該ボタン操作は、たとえば、通信端末装置５００に設けられた、操作部名が「上方向ボタン」である方向ボタン５４１Ａを押下する操作であるとする。この場合、図１７のステップＳ１６の処理により、制御部５１０は、方向ボタン５４１Ａに対応する、制御信号としてのリモコン信号を、映像表示装置６００へ送信する。そして、映像表示装置６００では、方向ボタン５４１Ａに対応するリモコン信号を受信すると、制御部６１０は、ＶＤＰ６３２を利用して、表示部６３０の第１表示領域Ｒ１に表示されているコンテンツの再生を一時停止させる処理を行なう。すなわち，制御部６１０は、通信端末装置５００に設けられたボタンのボタン操作によるリモコン信号を受信すると、第１表示領域Ｒ１に表示される画像の表示制御を行なう。
【０４１３】
ステップＳ２１５Ｂの処理の後、ステップＳ２１７に進む。
ステップＳ２１７では、第１の実施の形態と同様な処理が行なわれるので詳細な説明は繰り返さない。その後、再度、ステップＳ２１２の処理が行なわれる。
【０４１４】
映像表示装置６００では、ステップＳ２２６Ｂの処理の後、ステップＳ２２７に進む。
ステップＳ２２７では、第１の実施の形態と同様な処理が行なわれるので詳細な説明は繰り返さない。その後、再度、ステップＳ２２２の処理が行なわれる。
【０４１５】
次に、図３３のステップＳ２４３の処理により、映像表示装置６００へ送信される取得要求コンテンツに含まれるメタデータに、取得要求コンテンツに関連する動画像のコンテンツが付加されているとする。この場合、ステップＳ２２４Ｂでは、制御部６１０が、コンテンツ表示処理Ｂを実行する。
【０４１６】
コンテンツ表示処理Ｂでは、制御部６１０が、ＶＤＰ６３２を利用して、取得要求コンテンツをサービスサーバ８００Ａから受信しながら、取得要求コンテンツの再生（復号化）を行ない、取得要求コンテンツに基づくコンテンツ画像と、取得要求コンテンツに含まれるメタデータに付加されている動画像のコンテンツ画像とを表示した画像を生成する。そして、制御部６１０は、ＶＤＰ６３２を利用して、生成した画像を、表示部６３０に表示するストリーミング再生表示処理が行なわれる。この場合、コンテンツ表示処理Ｂでは、一例として図３４に示す、表示部６３０の全表示領域Ｒ１００に、以下のコンテンツ表示画像Ｇ３００Ｂが表示されるとする。
【０４１７】
図４０は、一例としてのコンテンツ表示画像Ｇ３００Ｂを示す図である。図４０を参照して、コンテンツ表示画像Ｇ３００Ｂは、図３６のコンテンツ表示画像Ｇ３００Ａと比較して、関連コンテンツ画像Ｇ３２０の代わりに関連コンテンツ画像Ｇ３２０Ｂが配置される点が異なる。それ以外は、コンテンツ表示画像Ｇ３００Ａと同様なので詳細な説明は繰り返さない。関連コンテンツ画像Ｇ３２０Ｂは、第２表示領域Ｒ２に表示される画像である。関連コンテンツ画像Ｇ３２０Ｂは、メタデータに付加されている動画像のコンテンツ画像である。
【０４１８】
再び、図３３を参照して、ステップＳ２２４Ｂの処理の後、ステップＳ２２５Ｂに進む。
【０４１９】
ステップＳ２２５Ｂでは、前述した表示状態判定処理が行なわれる。この場合、制御部６１０は、第２表示領域Ｒ２に表示されている画像の状態を、「コンテンツ再生状態」と判定する。
【０４２０】
そして、ステップＳ２２６Ｂのプログラム送信処理では、前述した処理が行なわれる。この処理により、通信端末装置５００の装置ＩＤ（“１１ＭＡ”）が付加された再生操作プログラムのデータが、通信端末装置５００へ送信される。
【０４２１】
通信端末装置５００では、前述したステップＳ２１４Ｂにおいて、ＹＥＳと判定されて、ステップＳ２１５Ｂに進む。
【０４２２】
ステップＳ２１５Ｂでは、前述した操作パネル画像表示処理が行なわれるので詳細な説明は繰り返さない。この処理により、再生操作プログラムが実行され、表示部５３０に、図３９の操作パネル画像ＰＧ１００が表示される。なお、映像表示装置６００の表示部６３０には、図４０のコンテンツ表示画像Ｇ３００Ｂが表示されているとする。
【０４２３】
この場合、たとえば、通信端末装置５００において、早送りボタン画像ＰＢＧ１３４に対してタッチ操作があった場合、図１７のステップＳ１２の処理により、制御部５１０は、早送りボタン画像ＰＢＧ１３４に対応する、制御信号としてのリモコン信号を、映像表示装置６００へ送信する。そして、映像表示装置６００では、早送りボタン画像ＰＢＧ１３４に対応するリモコン信号を受信すると、制御部６１０は、ＶＤＰ６３２を利用して、表示部６３０の第２表示領域Ｒ２に表示されているコンテンツの早送り再生をする。すなわち，制御部６１０は、操作パネル画像におけるタッチ操作によるリモコン信号を受信すると、第２表示領域Ｒ２に表示される画像の表示制御を行なう。
【０４２４】
また、通信端末装置５００において、ボタン操作があったとする。当該ボタン操作は、たとえば、通信端末装置５００に設けられた、操作部名が「左方向ボタン」である方向ボタン５４１Ｃを押下する操作であるとする。この場合、図１７のステップＳ１６の処理により、制御部５１０は、方向ボタン５４１Ｃに対応する、制御信号としてのリモコン信号を、映像表示装置６００へ送信する。そして、映像表示装置６００では、方向ボタン５４１Ｃに対応するリモコン信号を受信すると、制御部６１０は、ＶＤＰ６３２を利用して、表示部６３０の第１表示領域Ｒ１に表示されているコンテンツの再生箇所を所定期間（たとえば、１５秒）前の箇所にする処理を行なう。すなわち，制御部６１０は、通信端末装置５００に設けられたボタンのボタン操作によるリモコン信号を受信すると、第１表示領域Ｒ１に表示される画像の表示制御を行なう。
【０４２５】
本実施の形態では、ステップＳ２２５Ｂの表示状態判定処理において、映像表示装置６００が画像の表示状態を判定し、表示状態の変更がある毎に、表示状態に対応したプログラムを通信端末装置５００へ送信する処理を行なっている。しかしながら、映像表示装置６００が、予め、複数の表示状態に対応した全てのプログラムを、通信端末装置５００へ送信しておき、通信端末装置５００の記憶部５２０に記憶させておいてもよい。この場合、映像表示装置６００は、画像の表示状態に変更があった場合、変更された表示状態の情報を、通信端末装置５００へ報知する。そして、通信端末装置５００では、報知された表示状態に対応するプログラムを実行する。これらの処理により、表示部５３０に、表示状態に対応する操作パネル画像が表示される。
【０４２６】
図４１は、本実施の形態における制御部５１０および制御部６１０の機能ブロック図である。図４１を参照して、制御部５１０は、信号送信部５１１Ｂを含む。信号送信部５１１Ｂは、通信端末装置５００の方向ボタン５４１Ａ，５４１Ｂ，５４１Ｃ，５４１Ｄ、決定ボタン５４１Ｅ、機能ボタン５４２Ａ，５４２Ｂ，５４３Ａ，５４３Ｂのいずれかの押下操作により、対応するボタンのリモコン信号（以下、第１制御信号ともいう）を、映像表示装置６００へ送信する。また、信号送信部５１１Ｂは、表示部５３０に、表示された操作パネル画像内のボタン画像のタッチ操作があった場合、タッチ操作があったボタン画像に対応するリモコン信号（以下、第２制御信号ともいう）を、映像表示装置６００へ送信する。
【０４２７】
なお、制御部５１０に含まれる、信号送信部５１１Ｂは、ハードウエアで構成されてもよい。
【０４２８】
制御部６１０は、受信部６１１Ｂと、表示制御部６１２Ｂとを含む。受信部６１１Ｂは、信号送信部５１１Ｂが送信した信号を受信する。
【０４２９】
ここで、一例として、図３４に示す、表示部６３０の全表示領域Ｒ１００に、図３６のコンテンツ表示画像Ｇ３００Ａが表示されているとする。表示制御部６１２Ｂは、受信部６１１Ｂが、第１制御信号を受信した場合、図３６の第１表示領域Ｒ１に表示される画像の表示制御を行なう。また、表示制御部６１２Ｂは、受信部６１１Ｂが、第２制御信号を受信した場合、図３６の第２表示領域Ｒ２に表示される画像の表示制御を行なう。
【０４３０】
なお、制御部６１０に含まれる、受信部６１１Ｂおよび表示制御部６１２Ｂの全てまたは一部は、ハードウエアで構成されてもよい。
【０４３１】
以上説明したように、本実施の形態によれば、映像表示装置６００の表示部５３０に設けられた第１表示領域Ｒ１および第２表示領域Ｒ２にそれぞれ表示されている複数の画像の表示制御を、通信端末装置５００において、異なる複数の操作部でそれぞれ行なう。そのため、映像表示装置６００の表示部５３０内の複数の表示領域に表示されている画像の表示制御を迅速に行なうことができる。
【０４３２】
したがって、１つの装置の複数の表示領域の各々で表示されている画像の表示制御を迅速に行なうことができるという効果を奏する。
【０４３３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０４３４】
【図１】本実施の形態におけるネットワークシステムの構成を示す図である。
【図２】通信端末装置の外観を正面から示した図である。
【図３】通信端末装置の外観を左側面から示した図である。
【図４】通信端末装置の外観を背面から示した図である。
【図５】通信端末装置の内部構成を示したブロック図である。
【図６】映像表示装置の外観を正面から示した図である。
【図７】映像表示装置の内部構成を示したブロック図である。
【図８】サービスサーバの内部構成を示したブロック図である。
【図９】一例としてのリモコン画像を示す図である。
【図１０】コンテンツ取扱い処理のフローチャートである。
【図１１】一例としての待ち受け画像を示す図である。
【図１２】一例としての操作情報データを示す図である。
【図１３】一例としてのメッセージ画像を示す図である。
【図１４】一例としてのリストデータを示す図である。
【図１５】一例としてのリスト画像を示す図である。
【図１６】操作対応処理Ｍ、操作対応処理Ｔおよび処理Ｓのフローチャートである。
【図１７】操作判定処理および制御信号対応処理のフローチャートである。
【図１８】一例としてのコンテンツ情報画像を示す図である。
【図１９】一例としてのメタデータを示す図である。
【図２０】一例としてのコンテンツ表示画像を示す図である。
【図２１】一例としての情報表示画像を示す図である。
【図２２】電源オフ操作対応処理Ｍおよび電源オフ操作対応処理Ｔのフローチャートである。
【図２３】本実施の形態における制御部の機能ブロック図である。
【図２４】データ通信確立処理のフローチャートである。
【図２５】一例としての操作不可情報表示画像を示す図である。
【図２６】コンテンツ情報処理のフローチャートである。
【図２７】コンテンツ表示時処理のフローチャートである。
【図２８】待機モード移行時処理のフローチャートである。
【図２９】操作権移行処理のフローチャートである。
【図３０】一例としての操作権移行画像を示す図である。
【図３１】本実施の形態における制御部および制御部の機能ブロック図である。
【図３２】コンテンツ取扱い処理Ｂのフローチャートである。
【図３３】操作対応処理ＭＢ、操作対応処理ＴＢおよび処理Ｓのフローチャートである。
【図３４】表示部における、一例としての全表示領域を説明するための図である。
【図３５】表示部における、一例としての全表示領域を説明するための図である。
【図３６】一例としてのコンテンツ表示画像を示す図である。
【図３７】一例としての状態対応プログラムテーブルを示す図である。
【図３８】一例としての操作パネル画像を示す図である。
【図３９】一例としての操作パネル画像を示す図である。
【図４０】一例としてのコンテンツ表示画像を示す図である。
【図４１】本実施の形態における制御部および制御部の機能ブロック図である。
【符号の説明】
【０４３５】
５０  通信部、７０  ネットワーク、１８０，１８０Ａ，１８０Ｂ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008053964.tif 000003
【図２】
2008053964.tif 000004
【図３】
2008053964.tif 000005
【図４】
2008053964.tif 000006
【図５】
2008053964.tif 000007
【図６】
2008053964.tif 000008
【図７】
2008053964.tif 000009
【図８】
2008053964.tif 000010
【図９】
2008053964.tif 000011
【図１０】
2008053964.tif 000012
【図１１】
2008053964.tif 000013
【図１２】
2008053964.tif 000014
【図１３】
2008053964.tif 000015
【図１４】
2008053964.tif 000016
【図１５】
2008053964.tif 000017
【図１６】
2008053964.tif 000018
【図１７】
2008053964.tif 000019
【図１８】
2008053964.tif 000020
【図１９】
2008053964.tif 000021
【図２０】
2008053964.tif 000022
【図２１】
2008053964.tif 000023
【図２２】
2008053964.tif 000024
【図２３】
2008053964.tif 000025
【図２４】
2008053964.tif 000026
【図２５】
2008053964.tif 000027
【図２６】
2008053964.tif 000028
【図２７】
2008053964.tif 000029
【図２８】
2008053964.tif 000030
【図２９】
2008053964.tif 000031
【図３０】
2008053964.tif 000032
【図３１】
2008053964.tif 000033
【図３２】
2008053964.tif 000034
【図３３】
2008053964.tif 000035
【図３４】
2008053964.tif 000036
【図３５】
2008053964.tif 000037
【図３６】
2008053964.tif 000038
【図３７】
2008053964.tif 000039
【図３８】
2008053964.tif 000040
【図３９】
2008053964.tif 000041
【図４０】
2008053964.tif 000042
【図４１】
2008053964.tif 000043